(57)【要約】  ダウンリンクキャリアのデアクティベーションを判断することに少なくとも部分的に基づいて１つまたは複数のアップリンクキャリアをデアクティベートすべきかを判断する方法及び装置が提供される。ダウンリンクキャリアへの１つまたは複数のアップリンクキャリアのリンクは、１つまたは複数のアップリンクキャリアをデアクティベートすべきかを判断するために取得され得る。リンクは、システム情報ブロックリンク、キャリアインジケータフィールドリンク、パスロス−リンク、アップリンクタイミング基準リンクなどのうちのどれか、もしくはそれらの全てであり得る。１つまたは複数のアップリンクキャリアは、そのリンク、及び／もしくは１つまたは複数の他のダウンリンクキャリアへの別のリンクに基づいてデアクティベートされ得る。
2013539280.tif 000002
【特許請求の範囲】
【請求項１】
アクセスポイントによるダウンリンクキャリアのデアクティベーションの表示を受信することと、
１つまたは複数のアップリンクキャリアと前記ダウンリンクキャリアとの間のリンクを、前記アクセスポイントからシステム情報において受信されるパラメータに少なくとも部分的に基づいて判断することと、
前記リンクに少なくとも部分的に基づいて前記１つまたは複数のアップリンクキャリアをデアクティベートすることと、
を備える、ワイヤレス通信においてキャリアをデアクティベートする方法。
【請求項２】
前記リンクを前記判断することはさらに、前記システム情報に従って、前記１つまたは複数のアップリンクキャリアが任意のアクティブダウンリンクキャリアにリンクされていないことを判断することを含む、請求項１に記載の方法。
【請求項３】
前記リンクを前記判断することはさらに、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つに少なくとも部分的に基づく、請求項１に記載の方法。
【請求項４】
前記リンクを前記判断することはさらに、前記ＣＩＦ−リンクに少なくとも部分的に基づき、さらに、前記１つまたは複数のアップリンクキャリアが任意のアクティブダウンリンクキャリアにＣＩＦ−リンクされていないことを判断することを含む、請求項３に記載の方法。
【請求項５】
前記１つまたは複数のアップリンクキャリアを前記デアクティベートすることは、前記１つまたは複数のアップリンクキャリアを介する基準信号の送信を減少させることを含む、請求項１に記載の方法。
【請求項６】
前記１つまたは複数のアップリンクキャリアを前記デアクティベートすることは、前記１つまたは複数のアップリンクキャリアに関連するスケジューリング情報の処理を減少させることを含む、請求項１に記載の方法。
【請求項７】
前記処理を減少させることは、前記スケジューリング情報が送信されるインターバルの間、受信するのを避けることに少なくとも部分的に基づいて、前記１つまたは複数のアップリンクキャリアに関連する前記スケジューリング情報を受信する試みを減少させることを備える、請求項６に記載の方法。
【請求項８】
前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断することをさらに備える、請求項７に記載の方法。
【請求項９】
アクセスポイントによるダウンリンクキャリアのデアクティベーションの表示を受信するように、
１つまたは複数のアップリンクキャリアと前記ダウンリンクキャリアとの間のリンクを、前記アクセスポイントからシステム情報において受信されるパラメータに少なくとも部分的に基づいて判断するように、
前記リンクに少なくとも部分的に基づいて前記１つまたは複数のアップリンクキャリアをデアクティベートするように、
構成された少なくとも１つのプロセッサと、
前記少なくとも１つのプロセッサに結合されたメモリと
を備える、ワイヤレス通信においてキャリアをデアクティベートする装置。
【請求項１０】
前記少なくとも１つのプロセッサはさらに、前記システム情報に従って、少なくとも部分的に前記１つまたは複数のアップリンクキャリアが別のダウンリンクキャリアにリンクされていないことを判断することによって前記リンクを判断する、請求項９に記載の装置。
【請求項１１】
前記少なくとも１つのプロセッサはさらに、少なくとも部分的に前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、請求項９に記載の装置。
【請求項１２】
前記少なくとも１つのプロセッサはさらに、前記ＣＩＦ−リンクと、さらに前記１つまたは複数のアップリンクキャリアが別のダウンリンクキャリアにＣＩＦ−リンクされていないことを判断することとに少なくとも部分的に基づいて前記リンクを判断する、請求項１１に記載の装置。
【請求項１３】
前記少なくとも１つのプロセッサは、少なくとも部分的に前記１つまたは複数のアップリンクキャリアに介する基準信号の送信を減少させることによって前記１つまたは複数のアップリンクキャリアをデアクティベートする、請求項９に記載の装置。
【請求項１４】
前記少なくとも１つのプロセッサは、少なくとも部分的に前記１つまたは複数のアップリンクキャリアに関連するスケジューリング情報の処理を減少させることによって前記１つまたは複数のアップリンクキャリアをデアクティベートする、請求項９に記載の装置。
【請求項１５】
前記少なくとも１つのプロセッサは、前記スケジューリング情報が送信されるインターバルの間、受信するのを避けることに少なくとも部分的に基づいて、少なくとも部分的に前記１つまたは複数のアップリンクキャリアに関連する前記スケジューリング情報を受信する試みを減少させることによってスケジューリング情報の処理を減少させる、請求項１４に記載の装置。
【請求項１６】
前記少なくとも１つのプロセッサはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断するように構成される、請求項１５に記載の装置。
【請求項１７】
アクセスポイントによるダウンリンクキャリアのデアクティベーションの表示を受信する手段と、
１つまたは複数のアップリンクキャリアと前記ダウンリンクキャリアとの間のリンクを、前記アクセスポイントからシステム情報において受信されるパラメータに少なくとも部分的に基づいて判断する手段と、
前記リンクに少なくとも部分的に基づいて前記１つまたは複数のアップリンクキャリアをデアクティベートする手段と、
を備える、ワイヤレス通信においてキャリアをデアクティベートする装置。
【請求項１８】
判断する前記手段は、前記システム情報に従って、前記１つまたは複数のアップリンクキャリアが別のダウンリンクキャリアにリンクされていないことを判断する、請求項１７に記載の装置。
【請求項１９】
判断する前記手段は、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断する、請求項１７に記載の装置。
【請求項２０】
判断する前記手段は、前記１つまたは複数のアップリンクキャリアが別のダウンリンクキャリアにＣＩＦ−リンクされていないこと、及び前記ＣＩＦ−リンクを判断する、請求項１９に記載の装置。
【請求項２１】
デアクティベートする前記手段は、少なくとも部分的に前記１つまたは複数のアップリンクキャリアを介する基準信号の送信を減少させることによって前記１つまたは複数のアップリンクキャリアをデアクティベートする、請求項１７に記載の装置。
【請求項２２】
デアクティベートする前記手段は、少なくとも部分的に前記１つまたは複数のアップリンクキャリアに関連するスケジューリング情報の処理を減少させることによって前記１つまたは複数のアップリンクキャリアをデアクティベートする、請求項１７に記載の装置。
【請求項２３】
デアクティベートする前記手段は、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項２２に記載の装置。
【請求項２４】
デアクティベートする前記手段はさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、請求項２３に記載の装置。
【請求項２５】
少なくとも１つのコンピュータに、アクセスポイントによるダウンリンクキャリアのデアクティベーションの表示を受信させるコードと、
前記少なくとも１つのコンピュータに、１つまたは複数のアップリンクキャリアと前記ダウンリンクキャリアとの間のリンクを、前記アクセスポイントからシステム情報において受信されるパラメータに少なくとも部分的に基づいて判断させるコードと、
前記少なくとも１つのコンピュータに、前記リンクに少なくとも部分的に基づいて、前記１つまたは複数のアップリンクキャリアをデアクティベートさせるコードと、
を備えるコンピュータ読み取り可能媒体
を備える、ワイヤレス通信においてキャリアをデアクティベートするコンピュータプログラム製品。
【請求項２６】
前記少なくとも１つのコンピュータに判断させる前記コードはさらに、前記システム情報に従って、少なくとも部分的に前記１つまたは複数のアップリンクキャリアが別のダウンリンクキャリアにリンクされていないことを判断することによって前記リンクを判断する、請求項２５に記載のコンピュータプログラム製品。
【請求項２７】
前記少なくとも１つのコンピュータに判断させる前記コードはさらに、少なくとも部分的に、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、請求項２５に記載のコンピュータプログラム製品。
【請求項２８】
前記少なくとも１つのコンピュータに判断させる前記コードはさらに、前記ＣＩＦ−リンクと、さらに前記１つまたは複数のアップリンクキャリアが別のダウンリンクキャリアにＣＩＦ−リンクされていないことを判断することとに少なくとも部分的に基づいて前記リンクを判断する、請求項２７に記載のコンピュータプログラム製品。
【請求項２９】
前記少なくとも１つのコンピュータにデアクティベートさせる前記コードは、少なくとも部分的に前記１つまたは複数のアップリンクキャリアを介する基準信号の送信を減少させることによって前記１つまたは複数のアップリンクキャリアをデアクティベートする、請求項２５に記載のコンピュータプログラム製品。
【請求項３０】
前記少なくとも１つのコンピュータにデアクティベートさせる前記コードは、少なくとも部分的に前記１つまたは複数のアップリンクキャリアに関連するスケジューリング情報の処理を減少させることによって前記１つまたは複数のアップリンクキャリアをデアクティベートする、請求項２５に記載のコンピュータプログラム製品。
【請求項３１】
前記少なくとも１つのコンピュータに判断させる前記コードは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項３０に記載のコンピュータプログラム製品。
【請求項３２】
前記コンピュータ読み取り可能媒体はさらに、前記少なくとも１つのコンピュータに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断させるコードを備える、請求項３１に記載のコンピュータプログラム製品。
【請求項３３】
アクセスポイントによるダウンリンクキャリアのデアクティベーションの表示を受信するダウンリンクキャリアデアクティベーション判断コンポーネントと、
１つまたは複数のアップリンクキャリアと前記ダウンリンクキャリアとの間のリンクを、前記アクセスポイントからシステム情報において受信されるパラメータに少なくとも部分的に基づいて判断するアップリンクキャリア関連コンポーネントと、
前記リンクに少なくとも部分的に基づいて前記１つまたは複数のアップリンクキャリアをデアクティベートするアップリンクキャリアデアクティベーティングコンポーネントと、
を備える、ワイヤレス通信においてキャリアをデアクティベートする装置。
【請求項３４】
前記アップリンクキャリア関連コンポーネントは、前記システム情報に従って、前記１つまたは複数のアップリンクキャリアが別のダウンリンクキャリアにリンクされていないことを判断する、請求項３３に記載の装置。
【請求項３５】
前記アップリンクキャリア関連コンポーネントは、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断する、請求項３３に記載の装置。
【請求項３６】
前記アップリンクキャリア関連コンポーネントは、前記１つまたは複数のアップリンクキャリアが別のダウンリンクキャリアにＣＩＦ−リンクされていないこと、及び前記ＣＩＦ−リンクを判断する、請求項３５に記載の装置。
【請求項３７】
前記アップリンクキャリアデアクティベーティングコンポーネントは、少なくとも部分的に前記１つまたは複数のアップリンクキャリアを介する基準信号の送信を減少させることによって前記１つまたは複数のアップリンクキャリアをデアクティベートする、請求項３３に記載の装置。
【請求項３８】
前記アップリンクキャリアデアクティベーティングコンポーネントは、少なくとも部分的に前記１つまたは複数のアップリンクキャリアに関連するスケジューリング情報の処理を減少させることによって前記１つまたは複数のアップリンクキャリアをデアクティベートする、請求項３３に記載の装置。
【請求項３９】
前記アップリンクキャリアデアクティベーティングコンポーネントは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項３８に記載の装置。
【請求項４０】
前記アップリンクキャリアデアクティベーティングコンポーネントはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、請求項３９に記載の装置。
【発明の詳細な説明】
【米国特許法１１９条に基づく優先権の主張】
【０００１】
本特許出願は、「Ａｐｐａｒａｔｕｓ  ａｎｄ  Ｍｅｔｈｏｄ  ｆｏｒ  Ｕｐｌｉｎｋ  Ｃａｒｒｉｅｒ  Ｄｅａｃｔｉｖａｔｉｏｎ  ｉｎ  Ｗｉｒｅｌｅｓｓ  Ｃｏｍｍｕｎｉｃａｔｉｏｎｓ」という名称の、２０１０年８月１３日に出願され、本発明の譲受人に譲渡され、本願に参照により明示的に組み込まれた仮出願第６１／３７３６８９に優先権を主張する。
【技術分野】
【０００２】
以下の記述は、概してワイヤレスネットワーク通信、より具体的にはキャリアのアクティベーション、及びデアクティベーションに関する。
【背景技術】
【０００３】
ワイヤレス通信システムは、例えば、音声、データなどのような、様々なタイプの通信コンテンツを提供するために広く展開されている。典型的なワイヤレス通信システムは、利用可能なシステムリソース（例えば、帯域幅、送信電力…）を共有することによって、複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。加えてシステムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ｅｖｏｌｕｔｉｏｎ  ｄａｔａ  ｏｐｔｉｍｉｚｅｄ）（ＥＶ−ＤＯ）などのような仕様書に適合し得る。
【０００４】
概してワイヤレス多元接続通信システムは複数のモバイルデバイスに対する通信を同時にサポートし得る。それぞれのモバイルデバイスは、順方向及び逆方向リンク上の伝送を介して１つまたは複数の基地局と通信し得る。順方向リンク（すなわち、ダウンリンク）は、基地局からモバイルデバイスへの通信リンクを称し、逆方向リンク（すなわち、アップリンク）は、モバイルデバイスから基地局への通信リンクを称す。さらにモバイルデバイスと基地局との間の通信は、シングル入力シングル出力（ＳＩＳＯ）システム、マルチ入力シングル出力（ＭＩＳＯ）システム、マルチ入力マルチ出力（ＭＩＭＯ）システムなどを介して確立され得る。
【０００５】
１つの例において、データスループット、信号ダイバーシチなどのうちのどれか、もしくは全てを増加させるために、デバイスは１つまたは複数の基地局からの複数のキャリアで構成され得る。例えば基地局は、それぞれが１つまたは複数の対応するアップリンクキャリアを有することができる複数のダウンリンクキャリアを構成し得る。例えば基地局は、システム情報ブロック、もしくは同様のシグナリングでダウンリンクキャリアと、対応するアップリンクキャリアをリンクする情報を提供し得る。加えて基地局は、１つまたは複数のアップリンクキャリアが（例えば、制御チャネルメッセージを使用して）ダウンリンクキャリアを介してスケジューリングされるようにクロスキャリアスケジューリングを使用して１つまたは複数のアップリンクキャリアをスケジューリングし得る。加えてアップリンクキャリアは、パスロス、アップリンクタイミング基準などのうちのどれか、もしくは全てを判断する目的で、（例えば、システム情報からのリンク、及び／もしくはクロスキャリアスケジューリングとは無関係に）複数のダウンリンクキャリアの特定の１つにリンクされ得る。
【発明の概要】
【０００６】
以下は、１つまたは複数の態様の簡略化された概要を、そのような態様の基本的な理解を提供するために、表す。この概要は企図される全ての態様の広範囲に及ぶ概観ではなく、全ての態様のキーまたは不可欠な要素を識別することも、あるいは、任意または全ての態様の範囲を描くことも意図されていない。その唯一の目的は、後に表わされるより詳細な記述への前置きとして、１つまたは複数の態様のうちのいくつかのコンセプトを簡略化された形態で表すことである。
【０００７】
１つまたは複数の態様及びその対応する開示に従って本開示は、マルチキャリアワイヤレス通信システムにおけるキャリアをデアクティベートすることと関係する様々な態様を記述する。基地局が複数のダウンリンクキャリアのうちの１つをデアクティベートすることを判断することに基づいて、対応するデバイスはデアクティベートする１つまたは複数のアップリンクキャリアを判断し得る。１つの例において、ダウンリンクキャリアに対するデアクティベーションの表示を受信すると、デバイスは、受信されたシステム情報に少なくとも部分的に基づいてダウンリンクキャリアにリンクされたアップリンクキャリアを判断し得、ならびに対応するアップリンクキャリアをデアクティベートし得る。さらなる例において、デバイスはデアクティベートするために、クロスキャリアスケジューリングにおけるキャリアインジケータフィールド−リンク、パスロス−リンク、アップリンクタイミング基準−リンクなどのうちのどれか、もしくは全てに少なくとも部分的に基づいて、ダウンリンクキャリアにリンクされたアップリンクキャリアを判断し得る。従って関連するダウンリンクキャリアのデアクティベーションに起因して使用されていないアップリンクキャリアは、アップリンクキャリアを介して受信される信号を受信及び処理するために必要とされる処理、及び／もしくはリソースを節約するためにデアクティベートされ得る。
【０００８】
例に従って、ワイヤレス通信においてキャリアをデアクティベートする方法が提供される。その方法は、アクセスポイントによるダウンリンクキャリアのデアクティベーションの表示を受信すること、及びアクセスポイントからシステム情報において受信されるパラメータに少なくとも部分的に基づいて１つまたは複数のアップリンクキャリアとダウンリンクキャリアとの間のリンクを判断することを含む。その方法はさらに、そのリンクに少なくとも部分的に基づいて１つまたは複数のアップリンクキャリアをデアクティベートすることを含む。
【０００９】
別の態様において、ワイヤレス通信においてキャリアをデアクティベートする装置が提供される。その装置は、アクセスポイントによるダウンリンクキャリアのデアクティベーションの表示を受信し、アクセスポイントからシステム情報において受信されるパラメータに少なくとも部分的に基づいて１つまたは複数のアップリンクキャリアとダウンリンクキャリアとの間のリンクを判断するように構成された少なくとも１つのプロセッサを含む。その少なくとも１つのプロセッサはさらに、そのリンクに少なくとも部分的に基づいて１つまたは複数のアップリンクキャリアをデアクティベートするように構成され得る。その装置はまた、少なくとも１つのプロセッサに結合されたメモリも含む。
【００１０】
さらに別の態様において、アクセスポイントによるダウンリンクキャリアのデアクティベーションの表示を受信する手段、及びアクセスポイントからシステム情報において受信されるパラメータに少なくとも部分的に基づいて１つまたは複数のアップリンクキャリアとダウンリンクキャリアとの間のリンクを判断する手段を含む、ワイヤレス通信においてキャリアをデアクティベートする装置が提供される。その装置はさらに、そのリンクに少なくとも部分的に基づいて１つまたは複数のアップリンクキャリアをデアクティベートする手段を含む。
【００１１】
引き続き別の態様において、少なくとも１つのコンピュータにアクセスポイントによるダウンリンクキャリアのデアクティベーションの表示を受信させるコードを有するコンピュータ読み取り可能媒体を含む、ワイヤレス通信においてキャリアをデアクティベートするコンピュータプログラム製品が提供される。コンピュータ読み取り可能媒体はさらに、少なくとも１つのコンピュータに、アクセスポイントからシステム情報において受信されるパラメータに少なくとも部分的に基づいて１つまたは複数のアップリンクキャリアとダウンリンクキャリアとの間のリンクを判断させるコード、及び少なくとも１つのコンピュータにそのリンクに少なくとも部分的に基づいて１つまたは複数のアップリンクキャリアをデアクティベートさせるコードを含む。
【００１２】
さらに一態様において、アクセスポイントによるダウンリンクキャリアのデアクティベーションの表示を受信するダウンリンクキャリアデアクティベーション判断コンポーネント、及びアクセスポイントからシステム情報において受信されるパラメータに少なくとも部分的に基づいて１つまたは複数のアップリンクキャリアとダウンリンクキャリアとの間のリンクを判断するアップリンクキャリア関連コンポーネントを含む、ワイヤレス通信においてキャリアをデアクティベートする装置が提供される。その装置はさらに、そのリンクに少なくとも部分的に基づいて１つまたは複数のアップリンクキャリアをデアクティベートするアップリンクキャリアデアクティベーティングコンポーネントを含む。
【００１３】
前述及び関連した目的を達成するために、１つまたは複数の態様は、以下に十分に記述され、特許請求の範囲で特に示される特徴を備える。以下の記述及び添付の図面は、１つまたは複数の態様の実例となる特定の特徴を詳細に示す。しかしながら、これらの特徴は様々な態様の本質が用いられ得る様々な方法のほんの数例を示しており、この記述はそのような態様、及びその均等物を全て含むように意図されている。
【図面の簡単な説明】
【００１４】
【図１】複数のアップリンク、及びダウンリンクキャリアを割り当てることを容易にするシステムの態様のブロック図。
【図２】１つまたは複数のアップリンクキャリアをデアクティベートするシステムの態様のブロック図。
【図３】例示的なキャリアリンク構成の図。
【図４】ダウンリンクキャリアへのリンクに基づいて、１つまたは複数のアップリンクキャリアをデアクティベートする方法の態様のフローチャート。
【図５】システム情報においてダウンリンクキャリアにリンクされた１つまたは複数のアップリンクキャリアをデアクティベートする方法の態様のフローチャート。
【図６】パスロス及び／もしくはアップリンクタイミングに関連するパラメータを変更する方法の態様のフローチャート。
【図７】１つまたは複数のアップリンクキャリアをデアクティベートする例示的なモバイルデバイスのブロック図。
【図８】パスロス及び／もしくはアップリンクタイミングに関連するパラメータを変更するシステムの態様のブロック図。
【図９】ダウンリンクキャリアへのリンクに基づいて、１つまたは複数のアップリンクキャリアをデアクティベートするシステムの態様のブロック図。
【図１０】本明細書で示されている様々な態様に従ったワイヤレス通信システムの態様のブロック図。
【図１１】本明細書で記述される様々なシステム及び方法と連結して用いられることができるワイヤレスネットワーク環境の態様の概略ブロック図。
【詳細な説明】
【００１５】
開示される態様は、以下で添付の図面と連結して記述されることになり、開示される態様を限定されるのでなく例示するために提供され、同様の表記は同様の要素を示している。
【００１６】
様々な態様が図面を参照してこれから記述される。以下の説明において、記述を目的として、１つまたは複数の態様の全体的な理解を提供するために多数の特定の詳細が示される。しかしながら、そのような（１つまたは複数の）態様がこれらの特定の詳細なく実施され得ることは明白であり得る。
【００１７】
本明細書でさらに記述されているように、ワイヤレスデバイスにおけるアップリンク（ＵＬ）キャリアは、関連するダウンリンク（ＤＬ）キャリアのデアクティベーションに少なくとも部分的に基づいてデアクティベートされ得る。例えば、ＵＬ及びＤＬキャリアの間の関係に応じてデバイスは、ＤＬキャリアがデアクティベートされるとき、ＵＬキャリアをデアクティベートすべきかを判断し得る。デバイスでＵＬキャリアをデアクティベートすることは、ＵＬキャリアを介して送信される基準信号の数を減少させること、デアクティベートされるＵＬキャリアに対するリソース許可に関連する検索スペースを減少させること、ＵＬキャリアに関連するＵＬタイミング基準もしくはパスロス測定を変えることなどのうちのどれか、もしくはそれらの全てを含み得る。上記の例における、そのような減少させることは停止に至るまで減少させることを含み得る。その際、例えばＵＬキャリアは、デアクティベートされるけれども、そのデバイスで構成されたままであることができる。加えて、デアクティベーションを引き起こす、ＵＬとＤＬキャリアとの間の関係が、システム情報、クロスキャリアシグナリング、パスロス測定、ＵＬタイミング基準などのうちのどれか、もしくはそれらの全てにおけるリンクに対応し得る。
【００１８】
本出願で使用されているように、「コンポーネント」、「モジュール」、「システム」などという用語は、ハードウェア、ファームウェア、ハードウェアとソフトウェアの組み合わせ、ソフトウェア、もしくは実行中のソフトウェアに限定されないが、これらのようなコンピュータ関連のエンティティを含むように意図されている。例えば、コンポーネントは、限定はされないが、プロセッサ上で動作する処理、プロセッサ、オブジェクト、実行可能ファイル、実行のスレッド、プログラム、及び／もしくはコンピュータであり得る。例示として、コンピュータデバイス上で動作するアプリケーション及びコンピュータデバイスの両方がコンポーネントであり得る。１つまたは複数のコンポーネントは、処理及び／もしくは実行のスレッド内に存在し得、コンポーネントは１つのコンピュータにローカライズされ、ならびに／あるいは２つ以上のコンピュータ間で分配され得る。加えて、これらのコンポーネントは、様々なデータ構造を記憶した様々なコンピュータ読み取り可能媒体により実行し得る。コンポーネントは、ローカルシステム内、分配されたシステム内、及び／もしくは信号によって他のシステムと接するインターネットのようなネットワークを渡る、別のコンポーネントと相互動作する１つのコンポーネントからのデータのような、１つまたは複数のデータパケットを有する信号に従うような、ローカル、及び／もしくは遠隔処理を手段として、通信し得る。
【００１９】
さらに様々な態様が、有線端末、もしくはワイヤレス端末であり得る端末と関係して本明細書で記述される。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、もしくはユーザ機器（ＵＥ）と呼ばれることもできる。ワイヤレス端末は、セルラー式電話、衛星電話、コードレス電話、セッション初期化プロトコル（ＳＩＰ）電話、無線ローカルループ（ＷＬＬ）局、パーソナルデジタルアシスタント（ＰＤＡ）、ワイヤレス接続機能を有するハンドヘルドデバイス、コンピュータデバイス、もしくはワイヤレスモデムに接続されたその他の処理デバイスであり得る。さらには、様々な態様が基地局と関係して本明細書で記述される。基地局は、（１つまたは複数の）ワイヤレス端末と通信するために利用され得、アクセスポイント、ノードＢ、進化型ノードＢ（ｅＮＢ）、もしくはいくつかの他の専門用語でも称され得る。
【００２０】
さらに、「もしくは（ｏｒ）」という用語は、排他的な「もしくは」よりはむしろ包括的な「もしくは」を意味することが意図されている。すなわち、別途特定されない限り、あるいは、コンテキストから明らかでない限り、「ＸはＡもしくはＢを用いる（Ｘ  ｅｍｐｌｏｙｓ  Ａ  ｏｒ  Ｂ）」という表現は、自然で包括的な置換のいずれかを意味することが意図される。すなわち、「ＸはＡもしくはＢを用いる」という表現は、ＸはＡを用いる（Ｘ  ｅｍｐｌｏｙｓ  Ａ）、ＸはＢを用いる（Ｘ  ｅｍｐｌｏｙｓ  Ｂ）、あるいはＸはＡとＢの両方を用いる（Ｘ  ｅｍｐｌｏｙｓ  ｂｏｔｈ  Ａ  ａｎｄ  Ｂ）という事例のいずれかによって満たされる。加えて、本願及び添付された特許請求の範囲で使用される「ａ」及び「ａｎ」という冠詞は、一般的に、単数形に向けられていることが別途明確に特定されていない限り、あるいは、コンテキストから明らかでない限り、「１つまたは複数の」を意味するように解釈されるべきである。
【００２１】
本明細書に記述される技法は、ＣＤＭＡ、ＴＤＭＡ、ＦＤＭＡ、ＯＦＤＭＡ、ＳＣ−ＦＤＭＡ、及び他のシステムのような、様々なワイヤレス通信システムに使用され得る。「システム（ｓｙｓｔｅｍ）」及び「ネットワーク（ｎｅｔｗｏｒｋ）」という用語は、度々交換可能に使用される。ＣＤＭＡシステムは、ユニバーサル地上無線アクセス、（ＵＴＲＡ）、ｃｄｍａ２０００などのような無線技術を実行し得る。ＵＴＲＡは、広帯域ＣＤＭＡ（Ｗ−ＣＤＭＡ）及びＣＤＭＡの他の変形を含む。さらにｃｄｍａ２０００は、ＩＳ−２０００、ＩＳ−９５、及びＩＳ−８５６標準をカバーする。ＴＤＭＡシステムは、移動通信のためのグローバルシステム（ＧＳＭ（登録商標））（Ｇｌｏｂａｌ  Ｓｙｓｔｅｍ  ｆｏｒ  Ｍｏｂｉｌｅ  Ｃｏｍｍｕｎｉｃａｔｉｏｎｓ）のような無線技術を実行し得る。ＯＦＤＭＡシステムは、進化型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（Ｆｌａｓｈ−ＯＦＤＭ（登録商標））などのような無線技術を実行し得る。ＵＴＲＡ、及びＥ−ＵＴＲＡは、ユニバーサルモバイル通信システム（ＵＭＴＳ）（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰロングタームエボリューション（ＬＴＥ）は、ダウンリンクではＯＦＤＭＡを、アップリンクではＳＣ−ＦＤＭＡを用いる、Ｅ−ＵＴＲＡを使用するＵＭＴＳのリリースである。ＵＴＲＡ、Ｅ―ＵＴＲＡ、ＵＭＴＳ、ＬＴＥ、及びＧＳＭは、「第３世代パートナーシッププロジェクト」（３ＧＰＰ）という名称の団体による文書に記述される。加えて、ｃｄｍａ２０００及びＵＭＢは、「第３世代パートナーシッププロジェクト２」（３ＧＰＰ２）という名称の団体による文書に記述される。さらにそのようなワイヤレス通信システムは、アンペアな（ｕｎｐａｉｒｅｄ）無認可スペクトルを度々使用する、ピアツーピア（例えば、モバイルツーモバイル）アドホックネットワークシステム、８０２．ｘｘワイヤレスＬＡＮ、ＢＬＵＥＴＯＯＴＨ（登録商標）、及び任意の他の短距離あるいは長距離ワイヤレス通信技法をさらに含み得る。
【００２２】
様々な態様、もしくは特徴が、多数のデバイス、コンポーネント、モジュールなどを含み得るシステムの点から示されることになる。様々なシステムがさらなるデバイス、コンポーネント、モジュールなどを含み得、ならびに／もしくは図と関係して論じられるデバイス、コンポーネント、モジュールなどの全てを含まない場合があることは理解及び認識されるべきである。これらの手法の組み合わせもまた使用され得る。
【００２３】
図１を参照して、ワイヤレスネットワークにおいて複数のキャリアを介して通信することを容易にするワイヤレス通信システム１００が例示されている。システム１００は、基地局１０４と通信してワイヤレスネットワークアクセスを受信するデバイス１０２を備える。デバイス１０２は、ＵＥ、モデム（もしくは他のテザリングされたデバイス）、基地局（例えば、フェムトセル基地局、モバイル基地局などのような移動可能な基地局）、それらの一部などのうちのどれか、もしくはそれらの全てであり得る。基地局１０４は、マクロセル、フェムトセル、ピコセル及び／もしくは類似の基地局、モバイル基地局、中継ノード、ＵＥ（例えば、その場合、デバイス１０２は、ピアツーピア、もしくはアドホックモードで通信するＵＥである）、それらの一部などのうちのどれか、もしくはそれらの全てであり得る。
【００２４】
例に従って、デバイス１０２及び基地局１０４は、示されているように、複数のキャリアを介して通信し得る。その際、基地局１０４はデバイス１０２にＤＬキャリア１の１０６を割り当て得、ＤＬキャリア１の１０６を介した通信を受信することに関連するデバイス１０２へのリソースをスケジューリングし得る。加えて基地局１０４は、対応するＵＬキャリア１の１０８をデバイス１０２に割り当て得る。ＵＬキャリア１の１０８は、ＤＬキャリア１の１０６及び対応するアップリンクキャリア１の１０８に関連するリソースを識別することができるシステム情報ブロック（ＳＩＢ）、もしくは類似のシグナリングのような、基地局１０４からの信号によるシステム情報ブロードキャストに従って、ＤＬキャリア１の１０６にリンクされ得る。そのようなリンクは、本明細書において、ＳＩＢ−リンクと称され得、対応するキャリアは、ＳＩＢ−リンクされたキャリアと称され得る。加えてＳＩＢ−リンクされたＤＬキャリア１の１０６とＵＬキャリア１の１０８のセット、もしくは任意のＳＩＢ−リンクされたキャリアはＳＣｅｌｌと称され得る。同様に基地局１０４は、別のＳＣｅｌｌを形成するために、ＤＬキャリア２の１１０を、対応するＳＩＢ−リンクされたＵＬキャリア２の１１２と共にデバイス１０２に割り当て得る。
【００２５】
別の例において、基地局１０４は、ＤＬキャリア１の１０６によって提供される制御チャネルを介してＵＬキャリア１の１０８に対するリソースの少なくとも一部をスケジューリングし得る。この例において基地局１０４は、制御チャネルを介して送信されるＵＬキャリア１の１０８に対するスケジューリング割り当てにおける、キャリアインジケータフィールド（ＣＩＦ）においてＤＬキャリア１の１０６を識別し得る。このことはクロスキャリアスケジューリング構成と称され得、ＤＬキャリア１の１０６とＵＬキャリア１の１０８との間の関係は、本明細書においてＣＩＦ−リンクと称され得る（ならびに対応するキャリアはＣＩＦ−リンクされたキャリアと呼ばれ得る）。加えて、例えば、基地局１０４は、ＵＬキャリア１の１０８がＤＬキャリア１の１０６にＳＩＢ−リンクされるが、ＤＬキャリア２の１１０にＣＩＦ−リンクされるように、ＤＬキャリア２の１１０を使用して、ＵＬキャリア１の１０８のリソースの少なくとも一部をスケジューリングし得る。
【００２６】
さらには、例えば、デバイス１０２は、ＵＬキャリアに対応するＤＬキャリアを介して基地局１０４から受信される信号に基づいて基地局１０４へのパスロスを計算し得る。１つの例において、基地局１０４は、（例えば、ＳＩＢ−リンク、もしくはＣＩＦ−リンクで）デバイス１０２に割り当てられるＵＬキャリアにリンクされるＤＬキャリアとは異なり得る、デバイス１０２がパスロスを計算する際に利用するためのＤＬキャリアを特定し得る。例えば、基地局１０４は、デバイス１０２がパスロスのより正確な推定を実行することができるように、周波数においてＵＬキャリアにより近いＤＬキャリアを特定し得る。その際、ＵＬキャリア１の１０８、及びＵＬキャリア２の１１２は、ＤＬキャリア１の１０６、もしくはＵＬキャリア２の１１０のうちの１つにパスロス―リンクされ得る。類似の例において、基地局１０４は、デバイス１０２がＵＬタイミング基準として利用するためのＤＬキャリアを特定し得、よってＵＬキャリア１の１０８及び／もしくはＵＬキャリア２の１１２は、ＤＬキャリア１の１０６及び／もしくはＤＬキャリア２の１１０にＵＬタイミング基準−リンクされ得る。
【００２７】
１つの例において、基地局１０４は、ＤＬキャリア１の１０６、及び／もしくはＤＬキャリア２の１１０をデアクティベートし得る。従って、デバイス１０２は、デアクティベートされたＤＬキャリアへのリンクに応じて、ＵＬキャリア１の１０８、及び／もしくはＵＬキャリア２の１１２をデアクティベートし得る。例えば、基地局１０４はＤＬキャリア１の１０６をデアクティベートし得、デバイス１０２にデアクティベーションを通知し得る。その際、デバイス１０２は、ＵＬキャリア１の１０８の、ＤＬキャリア１の１０６へのリンクを判断し得る。このことは、ＵＬキャリア１の１０８が、ＤＬキャリア１の１０６に、ＳＩＢ−リンクされたか、ＣＩＦ−リンクされたか、パスロス−リンクされたか、ＵＬタイミング基準−リンクされたか、もしくはその他の方法でリンクされたかを判断することを含み得る。もしそうならば（ならびに／あるいは、例えば、ＵＬキャリア１の１０８が、１つまたは複数のタイプのリンクに従って別のＤＬキャリアにリンクされていない場合）、デバイス１０２はＵＬキャリア１の１０８をデアクティベートし得る。デバイス１０２は同様に、ＵＬキャリア２の１１２をデアクティベートするかを判断する際に、ＵＬキャリア２の１１２がＤＬキャリア１の１０６にリンクされているか（ならびに／あるいは別のＤＬキャリアにリンクされていないか）を判断し得る。
【００２８】
例として、記述されるように、デバイス１０２は少なくとも部分的に、ＵＬキャリア１の１０８を介した基準信号送信を（例えば、停止点まで、あるいはその他の点まで）減少させることによって、ＵＬキャリア１の１０８（及び／もしくはＵＬキャリア２の１１２）をデアクティベートし得る。別の例において、デバイス１０２は少なくとも部分的に、（例えば１つまたは複数のアクティブＤＬキャリア上の）ＵＬキャリア１の１０８に対応するリソース許可もしくは他のスケジューリング情報に関する検索スペースを、（例えば、停止点まで、あるいはその他の点まで）減少させることによってＵＬキャリア１の１０８をデアクティベートし得る。さらには、デバイス１０２は少なくとも部分的に、ＵＬキャリア１の１０８に関連するパスロス測定動作を変更することによってＵＬキャリア１の１０８をデアクティベートし得る。加えてＤＬキャリアに基づいてＵＬキャリアをデアクティベートする点から記述されるけれども、そのコンセプトは、例において、ＵＬキャリアに基づいてＤＬキャリアをデアクティベートすることにも同様に適用され得ることは認識されるべきである。
【００２９】
図２に移ると、１つまたは複数のデアクティベートされたＤＬキャリアへのリンクに少なくとも部分的に基づいてＵＬキャリアをデアクティベートすることを容易にする例示的なワイヤレス通信システム２００が表示されている。システム２００は、記述されるように、基地局２０４と通信してワイヤレスネットワークへのアクセスを受信し得るデバイス２０２を備える。さらに記述されるように、基地局２０４は、複数のＤＬ及びＵＬキャリアをデバイス２０２に割り当てて、送信ダイバーシチを促進すること、データレートを向上することなどのうちのどれか、もしくはそれらの全てを行い得る。デバイス２０２は、記述されるように、ＵＥ、モデムなどであり得、基地局２０４は、マクロセル、フェムトセル、ピコセル、もしくは類似の基地局などであり得る。
【００３０】
デバイス２０２は、ＤＬキャリアのデアクティベーションを判断するＤＬキャリアデアクティベーション判断コンポーネント２０６、１つまたは複数のＵＬキャリアがデアクティベートされたＤＬキャリアにリンクされているかを判断するＵＬキャリア関連コンポーネント(UL carrier associating component)２０８、及びデアクティベートされたＤＬキャリアへのリンクに基づいて１つまたは複数のＵＬキャリアをデアクティベートすべきかを判断するＵＬキャリアデアクティベーティングコンポーネント２１０を備え得る。
【００３１】
基地局２０４は、１つまたは複数のＤＬキャリアをデアクティベートするＤＬキャリアデアクティベーティングコンポーネント２１２、１つまたは複数のＤＬキャリアと１つまたは複数のＵＬキャリアとの間の関連を記憶する任意のＵＬキャリア関連コンポーネント２１４、及び１つまたは複数のＤＬキャリアに関連する１つまたは複数のＵＬキャリアを判断することに少なくとも部分的に基づいて、パスロス要件もしくはタイミングに関連する１つまたは複数のパラメータを変更する任意のパスロス／ＵＬタイミング基準パラメータ調整コンポーネント２１６を備え得る。
【００３２】
例に従って、ＤＬキャリアデアクティベーティングコンポーネント２１２は１つまたは複数のＤＬキャリアをデアクティベートし得、ＤＬキャリアデアクティベーション判断コンポーネント２０６は１つまたは複数のＤＬキャリアのデアクティベーションを判断し得る。このことは、ＤＬキャリアデアクティベーティングコンポーネント２１２からデアクティベーションの表示(indication)を受信すること、ある期間に信号が１つまたは複数のＤＬキャリアを介して受信されるかを判断することに少なくとも部分的に基づいてデアクティベーションを推測すること、などを含み得る。１つまたは複数のＤＬキャリアのデアクティベーションを判断すると、ＵＬキャリア関連コンポーネント２０８は１つまたは複数のデアクティベートされたＤＬキャリアが１つまたは複数のＵＬキャリアに関連するかを判断し得る。例として、記述されるように、ＵＬキャリア関連コンポーネント２０８は、１つまたは複数のデアクティベートされたＤＬキャリアが１つまたは複数のＵＬキャリアにリンクされているかを判断し得る。リンクは、ＳＩＢ−リンク、ＣＩＦ−リンク、パスロス−リンク、ＵＬタイミング基準−リンク、別の種類のリンク、それらの組み合わせなどのうちのどれか、もしくはそれらの全てのような実質的に任意の種類のリンクを含み得る。
【００３３】
例として、ＵＬキャリア関連コンポーネント２０８は１つまたは複数のキャリアに関するリンク情報を記憶し得る。この例において、基地局２０４は、基地局２０４と通信するためにデバイス２０２にＤＬキャリアを割り当て得る。基地局２０４は、デバイス２０２が基地局２０４へ送信する際に利用するための、ＵＬキャリアへのリンクを示し得る。１つの例において、リンクは、１つまたは複数のデバイスへブロードキャストされるシステム情報信号（例えば、ＳＩＢ）において示され得る。記述されるように、ＤＬキャリア／ＵＬキャリアリンクは、ＳＣｅｌｌと称され得る。従って、例えば、ＵＬキャリア関連コンポーネント２０８は、ＤＬキャリアとＵＬキャリアとの間のＳＩＢ−リンクの表示を記憶し得る。別の例において基地局２０４は、キャリアアグリゲーションに関するクロスキャリアスケジューリングの際の（例えば、ＣＩＦにおける）制御チャネルメッセージを介してリンクを示すことによって、ＤＬキャリアをＵＬキャリアにリンクし得る。従って、例えば、ＵＬキャリア関連コンポーネント２０８は、ＤＬキャリアとＵＬキャリアとの間のＣＩＦ−リンクの表示を記憶し得る。同様に基地局２０４は、パスロスを測定するために、ならびに／あるいはＵＬキャリアに関するＵＬタイミング基準として使用されるＤＬキャリアを特定し得る。この例において、ＵＬキャリア関連コンポーネント２０８は、ＵＬキャリアとＤＬキャリアとの間のパスロス―リンク、もしくはＵＬタイミング基準−リンクを記憶し得る。ＵＬキャリア関連コンポーネント２１４は任意で同様に、割り当てられたＵＬキャリアとＤＬキャリアとの間のリンクを記憶し得る。
【００３４】
例えば、ＤＬキャリアデアクティベーション判断コンポーネント２０６がＤＬキャリアのデアクティベーションの表示を受信するか、そうでなければＤＬキャリアのデアクティベーションを判断すると、ＵＬキャリア関連コンポーネント２０８は、ＤＬキャリアが任意のＵＬキャリアにＳＩＢ−リンクされているかを判断し得る。このことは、ＤＬキャリアが任意のＳＣｅｌｌの一部であるかを判断することを含み得る。もしそうであれば、ＵＬキャリアデアクティベーティングコンポーネント２１０は、ＳＩＢ−リンクに少なくとも部分的に基づいて、（１つまたは複数の）ＵＬキャリアをデアクティベートすることを判断し得る。別の例において、ＵＬキャリア関連コンポーネント２０８は加えて、もしくは代わりとして、ＤＬキャリアが任意のＵＬキャリアに、ＣＩＦ−リンクされているか、パスロス−リンクされているか、ＵＬタイミング基準−リンクされているかなどのうちのどれか、もしくはそれらの全てを判断し得、従ってＵＬキャリアデアクティベーティングコンポーネント２１０は、追加のリンクに少なくとも部分的に基づいて、（１つまたは複数の）ＵＬキャリアをデアクティベートすることを判断し得る。さらに例えば、ＵＬキャリア関連コンポーネント２０８は、上記で記述されたリンクの１つまたは複数のタイプに従って（１つまたは複数の）ＵＬキャリアをデアクティベートすることを判断する前に、（１つまたは複数の）ＵＬキャリアが任意の他のアクティブＤＬキャリアにリンクされているかを判断し得る。
【００３５】
従って、例えば、ＤＬキャリアにリンクされた１つまたは複数のＵＬキャリアを判断する際に、ＵＬキャリア関連コンポーネント２０８は、１つまたは複数のＵＬキャリアが任意の他のアクティブＤＬキャリアに、ＳＩＢ−リンクされているか、ＣＩＦ−リンクされているか、パスロスーリンクされているか、ＵＬタイミング基準−リンクされているかなどを判断し得、そうでなければＵＬキャリアデアクティベーティングコンポーネント２１０は、ＵＬキャリアをデアクティベートすることを判断し得る。１つまたは複数のＵＬキャリアが任意の他のアクティブＤＬキャリアに、ＳＩＢ−リンクされているか、ＣＩＦ−リンクされているか、パスロス−リンクされているか、ＵＬタイミング基準−リンクされているかなどのうちの少なくとも１つがなされている場合、ＵＬキャリアはアクティブのままであり得る。その際に、デアクティベートされたＤＬキャリア、さらに他のＤＬキャリアにリンクされたＵＬキャリアに関するリンク判断の様々な並び換え(permutations)が、ＵＬキャリアをデアクティベートすべきかを判断するために可能である。
【００３６】
特定の例において、基地局２０４は、ＣＩＦスケジューリングを使用することなく、ＳＩＢからＵＬキャリアをスケジューリングし得る。従って、ＵＬキャリアは、ＣＩＦを使用して特定のＤＬキャリアから、ならびにＣＩＦなしでＳＩＢを使用して他のＤＬキャリアからもスケジューリングされることができる場合、ＵＬキャリア関連コンポーネント２０８は、それにより、デアクティベートされたＤＬキャリアに関連するＵＬキャリアがＳＩＢ−リンクされているかを判断し、ＵＬキャリアが、ＵＬキャリアをデアクティベートすべきかを判断する一環として、任意の他のアクティブＤＬキャリアにＣＩＦ−リンクされているかを判断し得る。そうでなければ、その後、ＵＬキャリアデアクティベーティングコンポーネント２１０は、ＵＬキャリアをデアクティベートすることを判断し得る。
【００３７】
別の特定の例において、ＵＬキャリア関連コンポーネント２０８は、以前に記憶された関連に少なくとも部分的に基づいて、１つまたは複数のＵＬキャリアがデアクティベートされたＤＬキャリアにパスロスーリンクされているか、及び／もしくはＵＬタイミング基準−リンクされているかを判断し得る。そうであるならば、１つの例において、ＵＬキャリアデアクティベーティングコンポーネント２１０は、パスロス基準及び／もしくはＵＬタイミング基準の不足のために１つまたは複数のＵＬキャリアをデアクティベートすることを判断し得る。
【００３８】
別の例において、ＵＬキャリア関連コンポーネント２０８は、パスロス、及び／もしくはＵＬタイミング基準のために、基地局２０４に関連する別のアクティブＤＬキャリアと１つまたは複数のＵＬキャリアを関連付け得る。このことは、１つの例において、１つまたは複数のＵＬキャリアにパスロス−リンク、及び／もしくはＵＬタイミング基準−リンクする他のアクティブＤＬキャリアの、ＤＬキャリアデアクティベーティングコンポーネント２１２からの表示に基づき得る。その際に、例えば、パスロス／ＵＬタイミング基準パラメータ調整コンポーネント２１６は、ＵＬキャリアを介するパスロス、及び／もしくはタイミングを測定することに関連する１つまたは複数のパラメータを調整することができ、その結果としてパスロスを報告し、ならびに／あるいは基地局２０４とのタイミングを利用するための緩和された要件になる。従って、パスロス／ＵＬタイミング基準−リンクされたキャリアはデアクティベートされるけれども、デバイス２０２は、緩和された要件に基づき、他のアクティブＤＬキャリアを使用してパスロス、及び／もしくはアップリンクタイミングを測定し続け得る。
【００３９】
１つまたは複数のＵＬキャリアをデアクティベートすることを判断するものとして上記で記述されたけれども、ＵＬキャリアデアクティベーティングコンポーネント２１０は、さらに、デアクティベートすることを実行し得る。例として、ＵＬキャリアデアクティベーティングコンポーネント２１０は、少なくとも部分的に、ＵＬキャリアを介して送信される基準信号の数を減少させること、デアクティベートされるＵＬキャリアに対するリソース許可もしくは他のスケジューリング情報に関連する検索スペースを減少させること、ＵＬキャリアに関連するＵＬタイミング基準もしくはパスロス測定を変更することなどのうちのどれか、もしくはそれらの全てによって１つまたは複数のＵＬキャリアをデアクティベートし得る。上記の例における、そのような減少させることは停止に至るまで減少させることを含み得る。加えて、上記で記述されたように、ＵＬキャリアデアクティベーティングコンポーネント２１０において１つまたは複数のＵＬキャリアをデアクティベートすることは、（例えば、関連するＤＬキャリアを介して潜在的に受信される）１つまたは複数のＵＬキャリアに関連するスケジューリング情報の処理を（例えば、停止点まで、あるいはその他の点まで）減少させることを含み得る。例えば、このことは、スケジューリング情報が対応する基地局によって送信されるインターバルの間、受信するのを避けることに少なくとも部分的に基づいて、１つまたは複数のアップリンクキャリアに関連するスケジューリング情報を受信する試みを減少させることを含み得る。１つの例において、インターバルは、スケジューリング情報におけるキャリアの構成、システム情報における１つまたは複数のアップリンクキャリアとアクティブダウンリンクキャリアとの間の関連などのうちのどれか、もしくはそれらの全てに少なくとも部分的に基づいて判断され得る。
【００４０】
これから図３に移ると、例示的なキャリア構成割り当て３００が例示されている。キャリア割り当て３００は、記述されるように、基地局からデバイスへのもの、であり得る。従って例えば、基地局は、ＤＬキャリア１の３０２及びＤＬキャリア２の３０４をデバイスに割り当て得る。加えて、基地局は、上記で記述されたような、ＳＩＢ（ＳＩＢ−リンク）、制御チャネルメッセージにおけるＣＩＦ（ＣＩＦ−リンク）、制御シグナリングを介して受信されるパスロス（ＰＬ）、及び／もしくはＵＬタイミング基準（ＵＴＲ）表示など（ＰＬ／ＵＴＲ−リンク）等のうちのどれか、もしくはそれらの全てのようなシステム情報における表示に基づいて、ＵＬキャリア１の３０６、及びＵＬキャリア２の３０８をデバイスに割り当て得る。描写された例において、ＵＬキャリア１の３０６はＤＬキャリア２の３０４にＣＩＦ−リンクされ得る。しかしながら、ＵＬキャリア１の３０６は、ＤＬキャリア１の３０２にＳＩＢ−リンクされ、ならびにＰＬ／ＵＴＲ−リンクされ得る。ＵＬキャリア２の３０８は、ＤＬキャリア２の３０４にＳＩＢ−リンクされ、ＰＬ／ＵＴＲ−リンクされ、ならびにＣＩＦ−リンクされ得る。
【００４１】
例えば、基地局はＤＬキャリア１の３０２をデアクティベートし得、デバイスは、ＤＬキャリア１の３０２へのリンクに少なくとも部分的に基づいて、ＵＬキャリア１の３０６をデアクティベートすべきかを判断し得る。例において、ＤＬキャリア１の３０２のデアクティベーションを通知されると、デバイスは、ＵＬキャリア１の３０６もしくはＵＬキャリア２の３０８がＤＬキャリア１の３０２にＳＩＢ−リンクされているかを判断し得る。ＵＬキャリア１の３０６はＤＬキャリア１の３０２にＳＩＢリンクされている（例えば、ＵＬキャリア１の３０６及びＤＬキャリア１の３０２はＳＣｅｌｌに対応する）ので、ＵＥはＵＬキャリア１の３０６をデアクティベートし得る。別の例において、デバイスは、デアクティベートする前に、ＵＬキャリア１の３０６が、任意の他のＤＬキャリアにＳＩＢ−リンクされていないことを確実にし得る。さらに例えば、デバイスは、デアクティベートする前に、ＵＬキャリア１の３０６が任意のＤＬキャリアにＣＩＦ−リンクされていないことを確実にし得る（例えば、この場合ＵＬキャリア１の３０６はＤＬキャリア２の３０４にＣＩＦ−リンクされており、よってデアクティベートされない）。
【００４２】
別の例において、デバイスは、ＵＬキャリア１の３０６がＤＬキャリア１の３０２にＰＬ／ＵＴＲ−リンクされていることを判断し得、パスロス基準、もしくはＵＬタイミング基準の不足に起因してＵＬキャリア１の３０６をデアクティベートし得る。また別の例において、記述されるように、デバイスは、ＵＬキャリア１の３０６に関するパスロス、及び／もしくはＵＬタイミング基準のために異なるＤＬキャリア（例えば、ＤＬキャリア２の３０４）を選択し得、基地局はＵＬキャリア１の３０６に関するパスロス及び／もしくはタイミング要件を緩和し得る。
【００４３】
別の例において、ＵＬキャリア１の３０６はＤＬキャリア２の３０４にＣＩＦリンクされているので、ＤＬキャリア１の３０２のデアクティベーションの際、デバイスはＵＬキャリア１の３０６をデアクティベートしないことを判断することができ、デバイスは引き続き、ＤＬキャリア２の３０４を介して追加の、もしくは代わりのスケジューリング、あるいは他の制御データを受信できる。ＤＬキャリア２の３０４がデアクティベートされる別の例において、デバイスは、キャリアがＤＬキャリア２の３０４にＳＩＢ−リンクされているか、ＣＩＦ−リンクされているか、ＰＬ／ＵＴＲ−リンクされているかなどに基づいて、ＵＬキャリア１の３０６もしくはＵＬキャリア２の３０８をデアクティベートすべきかを判断し得る。１つの例において、デバイスは、もはやデアクティベートされたＤＬキャリア２の３０４に関連する制御データを受信しないので、ＣＩＦ−リンクに起因して、ＵＬキャリア１の３０６をデアクティベートし得る。別の例において、デバイスは、引き続きＤＬキャリア１の３０２にＳＩＢ−リンクされているので、ＵＬキャリア１の３０６をアクティブの状態のままにし得る。
【００４４】
図４−７を参照すると、１つまたは複数のキャリアをデアクティベートすると判断することに関連する例示的な方法が例示されている。説明の簡潔さのために、その方法は、一連の動作で提示及び記述されているが、いくつかの動作が１つまたは複数の実施例に従って、異なる順序で、ならびに／あるいは本明細書で提示及び記述されているものとは別の動作と同時に生じ得るので、その方法が動作の順序によって限定されないことは理解及び認識されるべきである。例えば、方法が、状態図のように、一連の相関状態もしくはイベントとして、別の方法で表され得ることは認識されるべきである。さらには、全ての例示された動作が、１つまたは複数の実施例に従って方法を実行するように要求されるとは限らない場合もある。
【００４５】
図４に移ると、１つまたは複数のアップリンクキャリアをデアクティベートする例示的な方法４００が例示されている。４０２において、アクセスポイントによるＤＬキャリアのデアクティベーションの表示が受信され得る。記述されるように、これは、アクセスポイントから受信される、信号がＤＬキャリアを介して受信されるかに少なくとも部分的に基づいて判断される、などのうちの少なくとも１つであり得る。４０４で、１つまたは複数のＵＬキャリアとＤＬキャリアとの間のリンクが判断され得る。例えば、これはＳＩＢ−リンク、ＣＩＦ−リンク、パスロス−リンク、ＵＬタイミング基準−リンク、及び／もしくは同様のリンクであり得、その判断はまた、ＵＬキャリアが任意の他のＤＬキャリアにリンクされているかを判断することを含み得る。４０６で、リンクに少なくとも部分的に基づいて、１つまたは複数のＵＬキャリアをデアクティベートすべきかが判断され得る。例えば、記述されるように、追加のリンクが、１つまたは複数のＵＬキャリアをデアクティベートすべきかを決定するために判断され得る。
【００４６】
図５を参照すると、１つまたは複数のアップリンクキャリアをデアクティベートする例示的な方法５００が描写されている。５０２において、アクセスポイントによるＤＬキャリアのデアクティベーションの表示が受信され得る。記述されるように、これは、アクセスポイントから受信される、信号がＤＬキャリアを介して受信されるかに少なくとも部分的に基づいて判断される、などであり得る。５０４で、１つまたは複数のＵＬキャリアとＤＬキャリアとの間のリンクは、アクセスポイントからシステム情報において受信されるパラメータに少なくとも部分的に基づいて判断され得る。加えて、ＣＩＦ−リンク、パスロス−リンク、ＵＬタイミング基準−リンクなどのような、他のリンクが判断され得、ならびにＵＬキャリアが任意の他のＤＬキャリアにＳＩＢ−リンクされているかを判断することも含み得る。５０６で、１つまたは複数のＵＬキャリアは、そのリンクに少なくとも部分的に基づいてデアクティベートされ得る。
【００４７】
図６に移ると、ＤＬキャリアをデアクティベートすることに基づいてパスロス、及び／もしくはＵＬタイミング基準要件を緩和する例示的な方法６００が例示される。６０２で、ダウンリンクキャリアがデアクティベートされ得る。６０４で、ダウンリンクキャリアにパスロス−リンク、もしくはＵＬタイミング基準−リンクされている１つまたは複数のＵＬキャリアが判断され得る。このことは、例えば記述されるような、記憶された関連に基づき得る。６０６で、パスロス測定もしくはタイミングに関連する１つまたは複数のパラメータはその判断に少なくとも部分的に基づいて変更され得る。例えば、このことは、パスロスもしくはタイミングをレポートするための要件を緩和し得る。
【００４８】
本明細書で記述される１つまたは複数の態様に従って、記述されるような、１つまたは複数のキャリアをデアクティベートすること、１つまたは複数のキャリアのリンクを判断することなどのうちのどれか、もしくはそれらの全てに関して推測がなされ得る。本明細書で使用されるように、「推測する」もしくは「推測」という用語は概して、イベント、及び／もしくはデータを介して得られる観測のセットから、システム、環境、及び／もしくはユーザの状態について推論、もしくは推測する処理を称す。推測は、例えば、特定のコンテキスト、もしくは動作を識別するために用いられ得、あるいは、状態上の確率分布を生成し得る。推測は確率的、つまり、データ及びイベントの考慮に基づく対象の状態上の確率分布の計算であり得る。推測は、イベント、及び／もしくはデータのセットからより高いレベルのイベントを構成するために用いられる技法を称し得る。そのような推測は、イベントが緊密な時間的な近接性と関連性があるかどうかにかかわらず、かつイベント及びデータが１つまたはいくつかのイベント及びデータソースによってもたらされるかどうかにかかわらず、結果として、観測されたイベント、及び／もしくは記憶されたイベントデータのセットからの新たなイベントもしくは動作の構築となる。
【００４９】
図７は、ワイヤレスネットワークにおいて通信し得るモバイルデバイス７００の例示である。モバイルデバイス７００は、例えば、受信アンテナ（示されていない）から信号を受信し、受信された信号上に典型的な動作を実行し（例えば、フィルタ、増幅、ダウンコンバートなど）、サンプルを取得するために調整された信号をデジタル化する受信機７０２を備える。受信機７０２は、チャネル推定のために受信されたシンボルを復調し、それらをプロセッサ７０６に提供し得る復調器７０４を備え得る。プロセッサ７０６は、受信機７０２によって受信される情報を分析すること、及び／もしくは送信器７０８による送信のための情報を生成すること専用のプロセッサ、モバイルデバイス７００の１つまたは複数のコンポーネントを制御するプロセッサ、及び／もしくは受信機７０２によって受信される情報を分析し、送信機７０８による送信のための情報を生成し、ならびにモバイルデバイス７００の１つまたは複数のコンポーネントを制御することの全てを行うプロセッサであり得る。
【００５０】
モバイルデバイス７００は、プロセッサ７０６に動作可能に結合され、送信されるデータ、受信されたデータ、利用可能なチャネルに関連する情報、分析された信号及び／もしくは干渉強度と関連付けられたデータ、割り当てられたチャネル、電力、レートなどと関連する情報、及びチャネルを推定し、チャネルを介して通信する任意の他の適切な情報を記憶し得るメモリ７１０をさらに備え得る。メモリ７１０は、（例えば、パフォーマンス基準、容量基準、などで）チャネルを推定、及びもしくは利用すること、ＵＬとＤＬキャリアとの間のリンクを判断すること、ＵＬキャリアをデアクティベートすることなどと関連するプロトコル及び／もしくはアルゴリズムをさらに記憶し得る。
【００５１】
本明細書で記述されたようなデータ記憶装置（例えば、メモリ７１０）は、揮発性のメモリ、もしくは非揮発性のメモリのどちらかであり得、あるいは揮発性の、及び非揮発性のメモリの両方を含み得る。限定としてではなく例示として、非揮発性のメモリは読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、もしくはフラッシュメモリを含み得る。揮発性のメモリは、外部のキャッシュメモリとして動作するランダムアクセスメモリ（ＲＡＭ）を含み得る。限定としてではなく例示として、ＲＡＭはシンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクト・ラムバスＲＡＭ（ＤＲＲＡＭ（登録商標））のような多くの形態において利用可能である。主題のシステム及び方法のメモリ７１０は、これらと、任意の他の適切なタイプのメモリを、限定されることなく、備えることが意図される。
【００５２】
プロセッサ７０６はさらに、ＤＬキャリアデアクティベーション判断コンポーネント２０６に類似し得るＤＬキャリアデアクティベーション判断コンポーネント７１２、ＵＬキャリア関連コンポーネント２０８に類似し得るＵＬキャリア関連コンポーネント７１４、及び／もしくはＵＬキャリアデアクティベーティングコンポーネント２１０に類似し得るＵＬキャリアデアクティベーティングコンポーネント７１６に任意で動作可能に結合され得る。モバイルデバイス７００は引き続きさらに、例えば基地局、別のモバイルデバイスなどへの送信器７０８による送信のために信号を変調する変調器７１８を備え得る。さらに、例えば、モバイルデバイス７００は、記述されるように、複数のネットワークインターフェースに対する複数の送信器７０８を備え得る。プロセッサ７０６とは別個であるものとして描写されているけれども、復調器７０４、ＤＬキャリアデアクティベーション判断コンポーネント７１２、ＵＬキャリア関連コンポーネント７１４、ＵＬキャリアデアクティベーティングコンポーネント７１６、及び／もしくは変調器７１８はプロセッサ７０６、もしくは複数のプロセッサ（示されていない）の一部であり得ることは認識されるべきである。
【００５３】
図８は、ＤＬキャリアをデアクティベートすることに基づいて、パスロス及び／もしくはＵＬタイミング基準を調整することを容易にするシステム８００の例示である。システム８００は、（例えば、記述されるような、複数のネットワーク技術のものであり得る）複数の受信アンテナ８０６を通じて１つまたは複数のモバイルデバイス８０４から（１つまたは複数の）信号を受信する受信機８１０、及び（例えば、記述されるような、複数のネットワーク技術のものであり得る）複数の送信アンテナ８０８を通じて１つまたは複数のモバイルデバイス８０４に送信する送信機８２６を有する実質的に任意の基地局（例えば、フェムトセル、ピコセルなどのような小さな基地局、移動基地局など）であり得る、基地局８０２を備える。加えて、ある例として、送信機８２６は、有線フロントリンクを介してモバイルデバイス８０４に送信し得る。受信機８１０は、１つまたは複数の受信アンテナ８０６から情報を受信し得、受信された情報を復調する復調器８１２と動作可能と関連付けられる。加えて例として、受信機８１０は、有線バックホールリンクから受信し得る。別個のアンテナとして描写されているけれども、受信アンテナ８０６の少なくとも１つと送信アンテナ８０８の対応する１つは同じアンテナとして組み合わせられ得ることは認識されるべきである。復調されたシンボルは、図７に関連して上記で記述されたプロセッサに類似し得、信号（例えば、パイロット）強度及び／もしくは干渉強度を推定することに関連する情報、（１つまたは複数の）モバイルデバイス８０４（もしくは別個の基地局（示されていない））から受信されるデータ、もしくはこれらに送信されるデータ、パスロスやＵＬタイミング基準などに関連する調整パラメータ、ならびに／あるいは本明細書で述べられる様々な動作及び機能を実行することに関連する任意の他の適切な情報を記憶するメモリ８１６に結合されるプロセッサ８１４によって分析される。
【００５４】
プロセッサ８１４はさらに、ＤＬキャリアデアクティベーティングコンポーネント２１２に類似し得るＤＬキャリアデアクティベーティングコンポーネント８１８、ＵＬキャリア関連コンポーネント２１４に類似し得るＵＬキャリア関連コンポーネント８２０、及び／もしくはパスロス／ＵＬタイミング基準パラメータ調整コンポーネント２１６に類似し得るパスロス／ＵＬタイミング基準パラメータ調整コンポーネント８２２にさらに任意で結合される。
【００５５】
さらに、例えば、プロセッサ８１４は、変調器８２４を使用して送信される信号を変調し、送信機８２６を使用して変調された信号を送信し得る。送信機８２６はＴｘアンテナ８０８を介して、モバイルデバイス８０４に信号を送信し得る。さらに、プロセッサ８１４とは別個であるものとして描写されているけれども、ＤＬキャリアデアクティベーティングコンポーネント８１８、ＵＬキャリア関連コンポーネント８２０、パスロス／ＵＬタイミング基準パラメータ調整コンポーネント８２２、復調器８１２、及び／もしくは変調器８２４は、プロセッサ８１４、もしくは複数のプロセッサ（示されていない）の一部であり得、ならびに／あるいはプロセッサ８１４による実行のためのメモリ８１６における命令として記憶され得ることは認識されるべきである。
【００５６】
図９を参照すると、１つまたは複数のＵＬキャリアをデアクティベートするシステム９００が例示される。例えば、システム９００はデバイス内に少なくとも部分的に備わり得る。システム９００は、プロセッサ、ソフトウェア、もしくはそれらの組み合わせ（例えば、ファームウェア）によって実行される機能を示す機能ブロックであり得る機能ブロックを含むように示されていることは認識されるべきである。システム９００は、関連して動作し得る電気コンポーネントの論理分類９０２を含む。例えば、論理分類９０２はアクセスポイント９０４によるＤＬキャリアのデアクティベーションの表示を受信する電気コンポーネントを含み得る。記述されるように、これはアクセスポイントから受信される表示であり得る。さらに、論理分類９０２は、アクセスポイント９０６からシステム情報において受信されるパラメータに少なくとも部分的に基づいて、１つまたは複数のＵＬキャリアとＤＬキャリアとの間のリンクを判断する電気コンポーネントを備え得る。
【００５７】
記述されるように、例えば、他のリンクが、１つまたは複数のＵＬキャリアとＤＬキャリアとの間で（もしくは１つまたは複数の他のＤＬキャリアに対して）判断され得る。加えて、論理分類９０２はまた、リンク９０８に少なくとも部分的に基づいて、１つまたは複数のＵＬキャリアをデアクティベートすべきかを判断する電気コンポーネントを備え得る。例えば、電気コンポーネント９０４は、上記で記述されるように、ＤＬキャリアデアクティベーション判断コンポーネント２０６を含み得る。加えて、例えば、ある態様における電気コンポーネント９０６は、上記で記述されるように、ＵＬキャリア関連コンポーネント２０８を含み得る。さらに、電気コンポーネント９０８は、例えば、ＵＬキャリアデアクティベーティングコンポーネント２１０を含み得る。
【００５８】
加えて、システム９００は、電気コンポーネント９０４、９０６、及び９０８と関連付けられた機能を実行するための命令を保持するメモリ９１０を含み得る。メモリ９１０の外部にあるように示されているけれども、電気コンポーネント９０４、９０６、及び９０８の１つまたは複数はメモリ９１０内に存在し得ると理解されるべきである。１つの例において、電気コンポーネント９０４、９０６、及び９０８は、少なくとも１つのプロセッサを備え得、あるいは各電気コンポーネント９０４、９０６、及び９０８は少なくとも１つのプロセッサの対応するモジュールであり得る。さらに、追加、もしくは代わりの例において、電気コンポーネント９０４、９０６、及び９０８はコンピュータ読み取り可能媒体を備えるコンピュータプログラム製品であり得、ここにおいて各電気コンポーネント９０４、９０６、及び９０８は対応するコードであり得る。
【００５９】
これから図１０を参照すると、ワイヤレス通信システム１０００は、本明細書で示される様々な実施例に従って例示されている。システム１０００は、複数のアンテナグループを含み得る基地局１００２を備える。例えば、１つのアンテナグループは、アンテナ１００４、及び１００６を含み得、別のグループは、アンテナ１００８、及び１０１０を備え得、追加のグループはアンテナ１０１２、及び１０１４を含み得る。各アンテナグループに対して２つのアンテナが例示されているけれども、より多くの、もしくはより少ないアンテナが各グループに対して利用され得る。基地局１００２は、認識されるように、送信機チェーン及び受信機チェーンを追加で含み得、それらのそれぞれが同様に、信号送信及び受信と関連付けられた複数のコンポーネント（例えば、プロセッサ、変調器、マルチプレクサ、復調器、デマルチプレクサ、アンテナなど）を備え得る。
【００６０】
基地局１００２は、モバイルデバイス１０１６及びモバイルデバイス１０２２のような１つまたは複数のモバイルデバイスと通信し得るけれども、基地局１００２が、モバイルデバイス１０１６及び１０２２に類似する実質的に任意の数のモバイルデバイスと通信し得ることは認識されるべきである。モバイルデバイス１０１６及び１０２２は、例えば、セルラー式電話、スマートフォン、ラップトップ、ハンドヘルド通信デバイス、ハンドヘルドコンピュータデバイス、衛星無線、全世界測位システム、ＰＤＡ、及び／もしくはワイヤレス通信システム１０００を介して通信する任意の他の適切なデバイスであり得る。描写されているように、モバイルデバイス１０１６はアンテナ１０１２及び１０１４と通信し、アンテナ１０１２及び１０１４は順方向リンク１０１８を介してモバイルデバイス１０１６に情報を送信し、逆方向リンク１０２０を介してモバイルデバイス１０１６から情報を受信する。さらに、モバイルデバイス１０２２はアンテナ１００４及び１００６と通信し、アンテナ１００４及び１００６は順方向リンク１０２４を介してモバイルデバイス１０２２に情報を送信し、逆方向リンク１０２６を介してモバイルデバイス１０２２から情報を受信する。周波数分割デュプレックス（ＦＤＤ）システムにおいて、例えば、順方向リンク１０１８は、逆方向リンク１０２０によって使用されるものとは異なる周波数帯域を利用し得、順方向リンク１０２４は、逆方向リンク１０２６によって用いられるものとは異なる周波数帯域を用い得る。さらに、時分割デュプレックス（ＴＤＤ）システムにおいて、順方向リンク１０１８及び逆方向リンク１０２０は共通の周波数帯域を利用し得、順方向リンク１０２４及び逆方向リンク１０２６は共通の周波数帯域を利用し得る。
【００６１】
アンテナの各グループ、及び／もしくはそれらが通信するように指定された領域は、基地局１００２のセクタと称され得る。例えば、アンテナグループは、基地局１００２によってカバーされたエリアのセクタにおけるモバイルデバイスと通信するように設計され得る。順方向リンク１０１８及び１０２４を介する通信において、基地局１００２の送信アンテナは、モバイルデバイス１０１６及び１０２２に関する順方向リンク１０１８及び１０２４の信号対雑音比を向上させるためにビームフォーミングを利用し得る。また、基地局１００２が関連するカバレッジに渡ってランダムに分散されたモバイルデバイス１０１６及び１０２２に送信するためにビームフォーミングを利用するけれども、隣接するセルにおけるモバイルデバイスは、単一のアンテナを通じて全てのそのモバイルデバイスに送信する基地局に比べるとより少ない干渉を受け得る。さらに、モバイルデバイス１０１６及び１０２２は、描写されているように、ピアツーピアの、あるいはアドホック技術を使用して互いに直接通信し得る。例に従って、システム１０００はマルチ入力マルチ出力（ＭＩＭＯ）通信システム、あるいは基地局１００２とモバイルデバイス１０１６及び／もしくは１０２２との間で複数のキャリアを割り当てることを可能にする類似のシステムであり得る。
【００６２】
図１１は例示的なワイヤレス通信システム１１００を示す。ワイヤレス通信システム１１００は、簡略さのため、１つの基地局１１１０と１つのモバイルデバイス１１５０を描写する。しかしながら、システム１１００は、１つより多い基地局、及び／もしくは１つよりも多いモバイルデバイスを含み得、ここにおいて追加の基地局、及び／もしくはモバイルデバイスは、以下で記述されるような、例示的な基地局１１１０及びモバイルデバイス１１５０と実質的に類似し得るか、異なり得ることは認識されるべきである。加えて、基地局１１１０及び／もしくはモバイルデバイス１１５０は、本明細書において記述される、システム  （図１−２、及び８−１０）、キャリア構成（図３）、方法（図４−６）、及び／もしくはモバイルデバイス（図７）をそれらの間のワイヤレス通信を容易にするために用い得ることは認識されるべきである。例えば、本明細書において記述される、システム及び／もしくは方法のコンポーネント、もしくは機能は、以下で記述される、プロセッサ１１３０及び／もしくはプロセッサ１１７０、あるいはメモリ１１３２及び／もしくはメモリ１１７２の一部であり得、ならびに／あるいは開示された機能を実行するためにプロセッサ１１３０及び／もしくはプロセッサ１１７０によって実行され得る。
【００６３】
基地局１１１０において、多くのデータストリームに関するトラフィックデータが、データソース１１１２から送信（ＴＸ）データプロセッサ１１１４に提供される。例に従って、各データストリームは、それぞれのアンテナを介して送信され得る。ＴＸデータプロセッサ１１１４は、トラフィックデータストリームを、そのデータストリームのために選択された特定の符号化スキームに基づいてフォーマット化し、符号化し、ならびにインターリーブして符号化されたデータを提供する。
【００６４】
各データストリーム用の符号化されたデータは、直交周波数分割多重化（ＯＦＤＭ）技法を使用してパイロットデータと多重化され得る。加えて、あるいは代わりとして、パイロットシンボルは、周波数分割多重化（ＦＤＭ）、時分割多重化（ＴＤＭ）、もしくは符号分割多重化（ＣＤＭ）されたものであり得る。パイロットデータは、通常、既知の方式で処理され、チャネル応答を推定するためにモバイルデバイス１１５０で使用され得る既知のデータパターンである。各データストリーム用の多重化されたパイロット及び符号化されたデータは、そのデータストリームのために選択された特定の変調スキーム（例えば、２相位相変調（ＢＰＳＫ）、４相位相変調（ＱＰＳＫ）、多相位相変調（Ｍ−ＰＳＫ）、多値直交振幅変調（Ｍ−ＱＡＭ）に基づいて、変調され（例えば、シンボルマッピングされ）、変調シンボルを提供し得る。各データストリーム用のデータレート、符号化、及び変調は、プロセッサ１１３０によって提供され、あるいは実行される命令によって判断され得る。    
データストリーム用の変調シンボルは、（例えば、ＯＦＤＭ用に）変調シンボルを更に処理し得るＴＸ  ＭＩＭＯプロセッサ１１２０に提供され得る。ＴＸ  ＭＩＭＯプロセッサ１１２０はその後、ＮＴ個の変調シンボルストリームをＮＴ個の送信機（ＴＭＴＲ）１１２２ａから１１２２ｔまでに提供する。様々な実施例において、ＴＸ  ＭＩＭＯプロセッサ１１２０は、ビームフォーミングの重み付けを、データストリームのシンボルに、ならびにシンボルが送信されるアンテナに適用する。
【００６５】
それぞれの送信機１１２２は１つまたは複数のアナログ信号を提供するためにそれぞれのシンボルストリームを受信及び処理し、さらにＭＩＭＯチャネルを介する送信に適切な変調された信号を提供するためにアナログ信号を調整（例えば、増幅、フィルタ、及びアップコンバート）する。さらに、送信機１１２２ａから１１２２ｔまでの送信機からのＮＴ個の変調された信号は、それぞれＮＴ個のアンテナ１１２４ａから１１２４ｔまでから送信される。
【００６６】
モバイルデバイス１１５０において、送信された変調された信号は、ＮＲ個のアンテナ１１５２ａから１１５２ｒまでによって受信され、各アンテナ１１５２からの受信された信号は、それぞれの受信機（ＲＣＶＲ）１１５４ａから１１５４ｒまでに提供される。各受信機１１５４は、それぞれの信号を調整（例えば、フィルタ、増幅、及びダウンコンバート）し、サンプルを提供するために調整された信号をデジタル化し、対応する「受信された」シンボルストリームを提供するためにサンプルを更に処理する。
【００６７】
ＲＸデータプロセッサ１１６０は、ＮＴ個の「検出された」シンボルストリームを提供するために、特定の受信機処理技法に基づいて、ＮＲ個の受信機１１５４からのＮＲ個の受信されたシンボルストリームを受信し、ならびに処理し得る。ＲＸデータプロセッサ１１６０は、データストリーム用のトラフィックデータを復元するために各検出されたシンボルストリームを復調、デインタリーブ、ならびに復号し得る。ＲＸデータプロセッサ１１６０による処理は、基地局１１１０においてＴＸ  ＭＩＭＯプロセッサ１１２０及びＴＸデータプロセッサ１１１４によって実行されるものと相補的である。
【００６８】
逆方向リンクメッセージは、通信リンク及び／もしくは受信されたデータストリームに関する様々なタイプの情報を備え得る。逆方向リンクメッセージは、データソース１１３６からの多くのデータストリームに関するトラフィックデータを受信することもする、ＴＸデータプロセッサ１１３８によって処理され、変調器１１８０によって変調され、送信機１１５４ａから１１５４ｒまでによって調整され、基地局１１１０に戻され得る。
【００６９】
基地局１１１０において、モバイルデバイス１１５０によって送信された逆方向リンクメッセージを抽出するために、モバイルデバイス１１５０からの変調された信号は、アンテナ１１２４によって受信され、受信機１１２２によって調整され、復調器１１４０によって復調され、ＲＸデータプロセッサ１１４２によって処理される。さらに、プロセッサ１１３０は、ビームフォーミングの重み付けを判断するためにどのプリコーディングマトリクスを使用すべきかを判断するように、抽出されたメッセージを処理し得る。
【００７０】
プロセッサ１１３０及び１１７０はそれぞれ基地局１１１０及びモバイルデバイス１１５０における動作を命令（例えば、制御、協調、管理など）し得る。それぞれのプロセッサ１１３０及び１１７０は、プログラムコード及びデータを記憶するメモリ１１３２及び１１７２と関連付けられ得る。プロセッサ１１３０及び１１７０はまた、それぞれアップリンク及びダウンリンクのための周波数及びインパルス応答推定を引き出すための演算も実行し得る。プロセッサ１１３０及び１１７０はまた、記述されたように、キャリアをデアクティベートすることや、リンクを判断することなどもできる。
【００７１】
本明細書に開示された実施例と関係して記述される様々な実例となる論理、論理ブロック、モジュール、コンポーネント、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたそれらの任意の組み合わせと共に実装もしくは実行され得る。汎用プロセッサはマイクロプロセッサであり得るが、しかしながら代わりとして、プロセッサは任意の従来のプロセッサ、コントローラ、マイクロコントローラ、またはステートマシンであり得る。プロセッサはまた、例えば、ＤＳＰとマクロプロセッサ、複数のマイクロプロセッサ、ＤＳＰコアに結合した１つまたは複数のマイクロプロセッサ、もしくは任意の他のそのような構成の組み合わせといったコンピューティングデバイスの組み合わせとしても実行され得る。加えて、少なくとも１つのプロセッサは、上記で記述された動作及び／もしくはステップの１つまたは複数を実行するように動作可能な１つまたは複数のモジュールを備え得る。例示的な記憶媒体は、プロセッサが記憶媒体から情報を読み取り、記憶媒体に情報を書き込むことができるように、プロセッサに結合され得る。代わりとして、記憶媒体はプロセッサに一体化され得る。さらに、いくつかの態様において、プロセッサ及び記憶媒体はＡＳＩＣに存在し得る。加えて、ＡＳＩＣはユーザ端末に存在し得る。代わりとして、プロセッサ及び記憶媒体は、ディスクリートコンポーネントとして、ユーザ端末に存在し得る。
【００７２】
１つまたは複数の態様において、記述された機能、方法、もしくはアルゴリズムは、ハードウェア、ソフトウェア、ファームウェア、もしくはそれらの任意の組み合わせで実行され得る。もしソフトウェアにおいて実行された場合、機能はコンピュータプログラム製品に組み込まれ得るコンピュータ読み取り可能媒体上の１つまたは複数の命令もしくはコードとして送信または記憶され得る。コンピュータ読み取り可能媒体は、コンピュータ記憶媒体と、ある場所から別の場所へのコンピュータプログラムの転送を容易にする任意の媒体を含む通信媒体との両方を含む。記憶媒体はコンピュータによりアクセスされることができる任意の利用可能な媒体であり得る。限定ではなく例として、そのようなコンピュータ読み取り可能媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、もしくは命令あるいはデータ構造の形態で望ましいプログラムコードを搬送もしくは記憶するために使用され得、コンピュータによってアクセスされ得る任意の他の媒体を備え得る。本明細書で使用されるようにディスク（Ｄｉｓｋ）及びディスク（Ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ）、フロッピー（登録商標）ディスク（ｆｌｏｐｐｙ（登録商標）  ｄｉｓｋ）及びブルーレイディスク（ｂｌｕ−ｒａｙ  ｄｉｓｃ）を含み、ここにおいてディスク（ｄｉｓｃ）が大抵レーザを用いて光学的にデータを再現するのに対し、ディスク（ｄｉｓｋ）は大抵磁気的にデータを再現する。上記の組み合わせもまたコンピュータ可読媒体の範囲内に含まれるべきである。
【００７３】
前述の開示は例示的な態様及び／もしくは実施例を論じているけれども、本明細書において様々な変化及び変更が、添付の特許請求の範囲において定義されているような記述される態様及び／もしくは実施例の範囲から逸脱することなくなされ得ることは留意されるべきである。さらに、記述される態様及び／もしくは実施例の要素は単数形で記述され、請求され得るけれども、単数形への限定が明示的に述べられていない限り複数形が考慮される。加えて、任意の態様及び／もしくは実施例の全てもしくは一部が、違う方法で述べられていない限り、任意の他の態様及び／もしくは実施例の全てもしくは一部と共に利用され得る。
【図１】
2013539280.tif 000003
【図２】
2013539280.tif 000004
【図３】
2013539280.tif 000005
【図４】
2013539280.tif 000006
【図５】
2013539280.tif 000007
【図６】
2013539280.tif 000008
【図７】
2013539280.tif 000009
【図８】
2013539280.tif 000010
【図９】
2013539280.tif 000011
【図１０】
2013539280.tif 000012
【図１１】
2013539280.tif 000013
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
アクセスポイントによるダウンリンクキャリアのデアクティベーションの表示を受信することと、
１つまたは複数のアップリンクキャリアと前記ダウンリンクキャリアとの間のリンクを、前記アクセスポイントからシステム情報において受信されるパラメータに少なくとも部分的に基づいて判断することと、
前記１つまたは複数のアップリンクキャリアが、前記１つまたは複数のアップリンクキャリアの割り当ての間に受信されたキャリアインジケータフィールド（ＣＩＦ）に基づいて、異なるダウンリンクキャリアにＣＩＦ−リンクされているかを判断することと、
前記１つまたは複数のアップリンクキャリアがまた前記異なるダウンリンクキャリアにＣＩＦ−リンクされていない場合に、前記リンクに基づいて前記１つまたは複数のアップリンクキャリアをデアクティベートすることと、
を備える、ワイヤレス通信においてキャリアをデアクティベートする方法。
【請求項２】
前記リンクを前記判断することはさらに、前記システム情報に従って、前記１つまたは複数のアップリンクキャリアが任意のアクティブダウンリンクキャリアにリンクされていないことを判断することを含む、請求項１に記載の方法。
【請求項３】
前記リンクを前記判断することはさらに、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つに少なくとも部分的に基づく、請求項１に記載の方法。
【請求項４】
前記１つまたは複数のアップリンクキャリアを前記デアクティベートすることは、前記１つまたは複数のアップリンクキャリアを介する基準信号の送信を減少させることを含む、請求項１に記載の方法。
【請求項５】
前記１つまたは複数のアップリンクキャリアを前記デアクティベートすることは、前記１つまたは複数のアップリンクキャリアに関連するスケジューリング情報の処理を減少させることを含む、請求項１に記載の方法。
【請求項６】
前記処理を減少させることは、前記スケジューリング情報が送信されるインターバルの間、受信するのを避けることに少なくとも部分的に基づいて、前記１つまたは複数のアップリンクキャリアに関連する前記スケジューリング情報を受信する試みを減少させることを備える、請求項５に記載の方法。
【請求項７】
前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断することをさらに備える、請求項６に記載の方法。
【請求項８】
アクセスポイントによるダウンリンクキャリアのデアクティベーションの表示を受信するように、
１つまたは複数のアップリンクキャリアと前記ダウンリンクキャリアとの間のリンクを、前記アクセスポイントからシステム情報において受信されるパラメータに少なくとも部分的に基づいて判断するように、
前記１つまたは複数のアップリンクキャリアが、前記１つまたは複数のアップリンクキャリアの割り当ての間に受信されたキャリアインジケータフィールド（ＣＩＦ）に基づいて、異なるダウンリンクキャリアにＣＩＦ−リンクされているかを判断するように、
前記１つまたは複数のアップリンクキャリアがまた前記異なるダウンリンクキャリアにＣＩＦ−リンクされていない場合に、前記リンクに基づいて前記１つまたは複数のアップリンクキャリアをデアクティベートするように、
構成された少なくとも１つのプロセッサと、
前記少なくとも１つのプロセッサに結合されたメモリと
を備える、ワイヤレス通信においてキャリアをデアクティベートする装置。
【請求項９】
前記少なくとも１つのプロセッサはさらに、前記システム情報に従って、少なくとも部分的に前記１つまたは複数のアップリンクキャリアが別のダウンリンクキャリアにリンクされていないことを判断することによって前記リンクを判断する、請求項８に記載の装置。
【請求項１０】
前記少なくとも１つのプロセッサはさらに、少なくとも部分的に前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、請求項８に記載の装置。
【請求項１１】
前記少なくとも１つのプロセッサは、少なくとも部分的に前記１つまたは複数のアップリンクキャリアを介する基準信号の送信を減少させることによって前記１つまたは複数のアップリンクキャリアをデアクティベートする、請求項８に記載の装置。
【請求項１２】
前記少なくとも１つのプロセッサは、少なくとも部分的に前記１つまたは複数のアップリンクキャリアに関連するスケジューリング情報の処理を減少させることによって前記１つまたは複数のアップリンクキャリアをデアクティベートする、請求項８に記載の装置。
【請求項１３】
前記少なくとも１つのプロセッサは、前記スケジューリング情報が送信されるインターバルの間、受信するのを避けることに少なくとも部分的に基づいて、少なくとも部分的に前記１つまたは複数のアップリンクキャリアに関連する前記スケジューリング情報を受信する試みを減少させることによってスケジューリング情報の処理を減少させる、請求項１２に記載の装置。
【請求項１４】
前記少なくとも１つのプロセッサはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断するように構成される、請求項１３に記載の装置。
【請求項１５】
アクセスポイントによるダウンリンクキャリアのデアクティベーションの表示を受信する手段と、
１つまたは複数のアップリンクキャリアと前記ダウンリンクキャリアとの間のリンクを、前記アクセスポイントからシステム情報において受信されるパラメータに少なくとも部分的に基づいて判断し、前記１つまたは複数のアップリンクキャリアが、前記１つまたは複数のアップリンクキャリアの割り当ての間に受信されたキャリアインジケータフィールド（ＣＩＦ）に基づいて、異なるダウンリンクキャリアにＣＩＦ−リンクされているかを判断する手段と、
前記１つまたは複数のアップリンクキャリアがまた前記異なるダウンリンクキャリアにＣＩＦ−リンクされていない場合に、前記リンクに基づいて前記１つまたは複数のアップリンクキャリアをデアクティベートする手段と、
を備える、ワイヤレス通信においてキャリアをデアクティベートする装置。
【請求項１６】
前記リンクを判断する前記手段は、前記システム情報に従って、前記１つまたは複数のアップリンクキャリアが別のダウンリンクキャリアにリンクされていないことを判断する、請求項１５に記載の装置。
【請求項１７】
前記リンクを判断する前記手段は、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断する、請求項１５に記載の装置。
【請求項１８】
デアクティベートする前記手段は、少なくとも部分的に前記１つまたは複数のアップリンクキャリアを介する基準信号の送信を減少させることによって前記１つまたは複数のアップリンクキャリアをデアクティベートする、請求項１５に記載の装置。
【請求項１９】
デアクティベートする前記手段は、少なくとも部分的に前記１つまたは複数のアップリンクキャリアに関連するスケジューリング情報の処理を減少させることによって前記１つまたは複数のアップリンクキャリアをデアクティベートする、請求項１５に記載の装置。
【請求項２０】
デアクティベートする前記手段は、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項１９に記載の装置。
【請求項２１】
デアクティベートする前記手段はさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、請求項２０に記載の装置。
【請求項２２】
少なくとも１つのコンピュータに、アクセスポイントによるダウンリンクキャリアのデアクティベーションの表示を受信させるコードと、
前記少なくとも１つのコンピュータに、１つまたは複数のアップリンクキャリアと前記ダウンリンクキャリアとの間のリンクを、前記アクセスポイントからシステム情報において受信されるパラメータに少なくとも部分的に基づいて判断させるコードと、
前記少なくとも１つのコンピュータに、前記１つまたは複数のアップリンクキャリアが、前記１つまたは複数のアップリンクキャリアの割り当ての間に受信されたキャリアインジケータフィールド（ＣＩＦ）に基づいて、異なるダウンリンクキャリアにＣＩＦ−リンクされているかを判断させるコードと、
前記少なくとも１つのコンピュータに、前記１つまたは複数のアップリンクキャリアがまた前記異なるダウンリンクキャリアにＣＩＦ−リンクされていない場合に、前記リンクに基づいて、前記１つまたは複数のアップリンクキャリアをデアクティベートさせるコードと、
を備えるコンピュータ読み取り可能媒体
を備える、ワイヤレス通信においてキャリアをデアクティベートするコンピュータプログラム製品。
【請求項２３】
前記少なくとも１つのコンピュータに前記リンクを判断させる前記コードはさらに、前記システム情報に従って、少なくとも部分的に前記１つまたは複数のアップリンクキャリアが別のダウンリンクキャリアにリンクされていないことを判断することによって前記リンクを判断する、請求項２２に記載のコンピュータプログラム製品。
【請求項２４】
前記少なくとも１つのコンピュータに前記リンクを判断させる前記コードはさらに、少なくとも部分的に、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、請求項２２に記載のコンピュータプログラム製品。
【請求項２５】
前記少なくとも１つのコンピュータにデアクティベートさせる前記コードは、少なくとも部分的に前記１つまたは複数のアップリンクキャリアを介する基準信号の送信を減少させることによって前記１つまたは複数のアップリンクキャリアをデアクティベートする、請求項２２に記載のコンピュータプログラム製品。
【請求項２６】
前記少なくとも１つのコンピュータにデアクティベートさせる前記コードは、少なくとも部分的に前記１つまたは複数のアップリンクキャリアに関連するスケジューリング情報の処理を減少させることによって前記１つまたは複数のアップリンクキャリアをデアクティベートする、請求項２２に記載のコンピュータプログラム製品。
【請求項２７】
前記少なくとも１つのコンピュータに判断させる前記コードは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項２６に記載のコンピュータプログラム製品。
【請求項２８】
前記コンピュータ読み取り可能媒体はさらに、前記少なくとも１つのコンピュータに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断させるコードを備える、請求項２７に記載のコンピュータプログラム製品。
【請求項２９】
アクセスポイントによるダウンリンクキャリアのデアクティベーションの表示を受信するダウンリンクキャリアデアクティベーション判断コンポーネントと、
１つまたは複数のアップリンクキャリアと前記ダウンリンクキャリアとの間のリンクを、前記アクセスポイントからシステム情報において受信されるパラメータに少なくとも部分的に基づいて判断し、前記１つまたは複数のアップリンクキャリアが、前記１つまたは複数のアップリンクキャリアの割り当ての間に受信されたキャリアインジケータフィールド（ＣＩＦ）に基づいて、異なるダウンリンクキャリアにＣＩＦ−リンクされているかを判断するアップリンクキャリア関連コンポーネントと、
前記１つまたは複数のアップリンクキャリアがまた前記異なるダウンリンクキャリアにＣＩＦ−リンクされていない場合に、前記リンクに基づいて前記１つまたは複数のアップリンクキャリアをデアクティベートするアップリンクキャリアデアクティベーティングコンポーネントと、
を備える、ワイヤレス通信においてキャリアをデアクティベートする装置。
【請求項３０】
前記アップリンクキャリア関連コンポーネントは、前記システム情報に従って、前記１つまたは複数のアップリンクキャリアが別のダウンリンクキャリアにリンクされていないことを判断することによって前記リンクを判断する、請求項２９に記載の装置。
【請求項３１】
前記アップリンクキャリア関連コンポーネントは、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、請求項２９に記載の装置。
【請求項３２】
前記アップリンクキャリアデアクティベーティングコンポーネントは、少なくとも部分的に前記１つまたは複数のアップリンクキャリアを介する基準信号の送信を減少させることによって前記１つまたは複数のアップリンクキャリアをデアクティベートする、請求項２９に記載の装置。
【請求項３３】
前記アップリンクキャリアデアクティベーティングコンポーネントは、少なくとも部分的に前記１つまたは複数のアップリンクキャリアに関連するスケジューリング情報の処理を減少させることによって前記１つまたは複数のアップリンクキャリアをデアクティベートする、請求項２９に記載の装置。
【請求項３４】
前記アップリンクキャリアデアクティベーティングコンポーネントは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、請求項３３に記載の装置。
【請求項３５】
前記アップリンクキャリアデアクティベーティングコンポーネントはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、請求項３４に記載の装置。
【手続補正２】
【補正対象書類名】明細書
【補正対象項目名】００７３
【補正方法】変更
【補正の内容】
【００７３】
前述の開示は例示的な態様及び／もしくは実施例を論じているけれども、本明細書において様々な変化及び変更が、添付の特許請求の範囲において定義されているような記述される態様及び／もしくは実施例の範囲から逸脱することなくなされ得ることは留意されるべきである。さらに、記述される態様及び／もしくは実施例の要素は単数形で記述され、請求され得るけれども、単数形への限定が明示的に述べられていない限り複数形が考慮される。加えて、任意の態様及び／もしくは実施例の全てもしくは一部が、違う方法で述べられていない限り、任意の他の態様及び／もしくは実施例の全てもしくは一部と共に利用され得る。
以下に、本願出願の当初の特許請求の範囲に記載された発明を付記する。
［Ｃ１］
アクセスポイントによるダウンリンクキャリアのデアクティベーションの表示を受信することと、
１つまたは複数のアップリンクキャリアと前記ダウンリンクキャリアとの間のリンクを、前記アクセスポイントからシステム情報において受信されるパラメータに少なくとも部分的に基づいて判断することと、
前記リンクに少なくとも部分的に基づいて前記１つまたは複数のアップリンクキャリアをデアクティベートすることと、
を備える、ワイヤレス通信においてキャリアをデアクティベートする方法。
［Ｃ２］
前記リンクを前記判断することはさらに、前記システム情報に従って、前記１つまたは複数のアップリンクキャリアが任意のアクティブダウンリンクキャリアにリンクされていないことを判断することを含む、Ｃ１に記載の方法。
［Ｃ３］
前記リンクを前記判断することはさらに、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つに少なくとも部分的に基づく、Ｃ１に記載の方法。
［Ｃ４］
前記リンクを前記判断することはさらに、前記ＣＩＦ−リンクに少なくとも部分的に基づき、さらに、前記１つまたは複数のアップリンクキャリアが任意のアクティブダウンリンクキャリアにＣＩＦ−リンクされていないことを判断することを含む、Ｃ３に記載の方法。
［Ｃ５］
前記１つまたは複数のアップリンクキャリアを前記デアクティベートすることは、前記１つまたは複数のアップリンクキャリアを介する基準信号の送信を減少させることを含む、Ｃ１に記載の方法。
［Ｃ６］
前記１つまたは複数のアップリンクキャリアを前記デアクティベートすることは、前記１つまたは複数のアップリンクキャリアに関連するスケジューリング情報の処理を減少させることを含む、Ｃ１に記載の方法。
［Ｃ７］
前記処理を減少させることは、前記スケジューリング情報が送信されるインターバルの間、受信するのを避けることに少なくとも部分的に基づいて、前記１つまたは複数のアップリンクキャリアに関連する前記スケジューリング情報を受信する試みを減少させることを備える、Ｃ６に記載の方法。
［Ｃ８］
前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断することをさらに備える、Ｃ７に記載の方法。
［Ｃ９］
アクセスポイントによるダウンリンクキャリアのデアクティベーションの表示を受信するように、
１つまたは複数のアップリンクキャリアと前記ダウンリンクキャリアとの間のリンクを、前記アクセスポイントからシステム情報において受信されるパラメータに少なくとも部分的に基づいて判断するように、
前記リンクに少なくとも部分的に基づいて前記１つまたは複数のアップリンクキャリアをデアクティベートするように、
構成された少なくとも１つのプロセッサと、
前記少なくとも１つのプロセッサに結合されたメモリと
を備える、ワイヤレス通信においてキャリアをデアクティベートする装置。
［Ｃ１０］
前記少なくとも１つのプロセッサはさらに、前記システム情報に従って、少なくとも部分的に前記１つまたは複数のアップリンクキャリアが別のダウンリンクキャリアにリンクされていないことを判断することによって前記リンクを判断する、Ｃ９に記載の装置。
［Ｃ１１］
前記少なくとも１つのプロセッサはさらに、少なくとも部分的に前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、Ｃ９に記載の装置。
［Ｃ１２］
前記少なくとも１つのプロセッサはさらに、前記ＣＩＦ−リンクと、さらに前記１つまたは複数のアップリンクキャリアが別のダウンリンクキャリアにＣＩＦ−リンクされていないことを判断することとに少なくとも部分的に基づいて前記リンクを判断する、Ｃ１１に記載の装置。
［Ｃ１３］
前記少なくとも１つのプロセッサは、少なくとも部分的に前記１つまたは複数のアップリンクキャリアに介する基準信号の送信を減少させることによって前記１つまたは複数のアップリンクキャリアをデアクティベートする、Ｃ９に記載の装置。
［Ｃ１４］
前記少なくとも１つのプロセッサは、少なくとも部分的に前記１つまたは複数のアップリンクキャリアに関連するスケジューリング情報の処理を減少させることによって前記１つまたは複数のアップリンクキャリアをデアクティベートする、Ｃ９に記載の装置。
［Ｃ１５］
前記少なくとも１つのプロセッサは、前記スケジューリング情報が送信されるインターバルの間、受信するのを避けることに少なくとも部分的に基づいて、少なくとも部分的に前記１つまたは複数のアップリンクキャリアに関連する前記スケジューリング情報を受信する試みを減少させることによってスケジューリング情報の処理を減少させる、Ｃ１４に記載の装置。
［Ｃ１６］
前記少なくとも１つのプロセッサはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断するように構成される、Ｃ１５に記載の装置。
［Ｃ１７］
アクセスポイントによるダウンリンクキャリアのデアクティベーションの表示を受信する手段と、
１つまたは複数のアップリンクキャリアと前記ダウンリンクキャリアとの間のリンクを、前記アクセスポイントからシステム情報において受信されるパラメータに少なくとも部分的に基づいて判断する手段と、
前記リンクに少なくとも部分的に基づいて前記１つまたは複数のアップリンクキャリアをデアクティベートする手段と、
を備える、ワイヤレス通信においてキャリアをデアクティベートする装置。
［Ｃ１８］
判断する前記手段は、前記システム情報に従って、前記１つまたは複数のアップリンクキャリアが別のダウンリンクキャリアにリンクされていないことを判断する、Ｃ１７に記載の装置。
［Ｃ１９］
判断する前記手段は、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断する、Ｃ１７に記載の装置。
［Ｃ２０］
判断する前記手段は、前記１つまたは複数のアップリンクキャリアが別のダウンリンクキャリアにＣＩＦ−リンクされていないこと、及び前記ＣＩＦ−リンクを判断する、Ｃ１９に記載の装置。
［Ｃ２１］
デアクティベートする前記手段は、少なくとも部分的に前記１つまたは複数のアップリンクキャリアを介する基準信号の送信を減少させることによって前記１つまたは複数のアップリンクキャリアをデアクティベートする、Ｃ１７に記載の装置。
［Ｃ２２］
デアクティベートする前記手段は、少なくとも部分的に前記１つまたは複数のアップリンクキャリアに関連するスケジューリング情報の処理を減少させることによって前記１つまたは複数のアップリンクキャリアをデアクティベートする、Ｃ１７に記載の装置。
［Ｃ２３］
デアクティベートする前記手段は、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、Ｃ２２に記載の装置。
［Ｃ２４］
デアクティベートする前記手段はさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、Ｃ２３に記載の装置。
［Ｃ２５］
少なくとも１つのコンピュータに、アクセスポイントによるダウンリンクキャリアのデアクティベーションの表示を受信させるコードと、
前記少なくとも１つのコンピュータに、１つまたは複数のアップリンクキャリアと前記ダウンリンクキャリアとの間のリンクを、前記アクセスポイントからシステム情報において受信されるパラメータに少なくとも部分的に基づいて判断させるコードと、
前記少なくとも１つのコンピュータに、前記リンクに少なくとも部分的に基づいて、前記１つまたは複数のアップリンクキャリアをデアクティベートさせるコードと、
を備えるコンピュータ読み取り可能媒体
を備える、ワイヤレス通信においてキャリアをデアクティベートするコンピュータプログラム製品。
［Ｃ２６］
前記少なくとも１つのコンピュータに判断させる前記コードはさらに、前記システム情報に従って、少なくとも部分的に前記１つまたは複数のアップリンクキャリアが別のダウンリンクキャリアにリンクされていないことを判断することによって前記リンクを判断する、Ｃ２５に記載のコンピュータプログラム製品。
［Ｃ２７］
前記少なくとも１つのコンピュータに判断させる前記コードはさらに、少なくとも部分的に、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断することによって前記リンクを判断する、Ｃ２５に記載のコンピュータプログラム製品。
［Ｃ２８］
前記少なくとも１つのコンピュータに判断させる前記コードはさらに、前記ＣＩＦ−リンクと、さらに前記１つまたは複数のアップリンクキャリアが別のダウンリンクキャリアにＣＩＦ−リンクされていないことを判断することとに少なくとも部分的に基づいて前記リンクを判断する、Ｃ２７に記載のコンピュータプログラム製品。
［Ｃ２９］
前記少なくとも１つのコンピュータにデアクティベートさせる前記コードは、少なくとも部分的に前記１つまたは複数のアップリンクキャリアを介する基準信号の送信を減少させることによって前記１つまたは複数のアップリンクキャリアをデアクティベートする、Ｃ２５に記載のコンピュータプログラム製品。
［Ｃ３０］
前記少なくとも１つのコンピュータにデアクティベートさせる前記コードは、少なくとも部分的に前記１つまたは複数のアップリンクキャリアに関連するスケジューリング情報の処理を減少させることによって前記１つまたは複数のアップリンクキャリアをデアクティベートする、Ｃ２５に記載のコンピュータプログラム製品。
［Ｃ３１］
前記少なくとも１つのコンピュータに判断させる前記コードは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、Ｃ３０に記載のコンピュータプログラム製品。
［Ｃ３２］
前記コンピュータ読み取り可能媒体はさらに、前記少なくとも１つのコンピュータに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断させるコードを備える、Ｃ３１に記載のコンピュータプログラム製品。
［Ｃ３３］
アクセスポイントによるダウンリンクキャリアのデアクティベーションの表示を受信するダウンリンクキャリアデアクティベーション判断コンポーネントと、
１つまたは複数のアップリンクキャリアと前記ダウンリンクキャリアとの間のリンクを、前記アクセスポイントからシステム情報において受信されるパラメータに少なくとも部分的に基づいて判断するアップリンクキャリア関連コンポーネントと、
前記リンクに少なくとも部分的に基づいて前記１つまたは複数のアップリンクキャリアをデアクティベートするアップリンクキャリアデアクティベーティングコンポーネントと、
を備える、ワイヤレス通信においてキャリアをデアクティベートする装置。
［Ｃ３４］
前記アップリンクキャリア関連コンポーネントは、前記システム情報に従って、前記１つまたは複数のアップリンクキャリアが別のダウンリンクキャリアにリンクされていないことを判断する、Ｃ３３に記載の装置。
［Ｃ３５］
前記アップリンクキャリア関連コンポーネントは、前記１つまたは複数のアップリンクキャリアと前記ダウンリンクキャリアとの間のキャリアインジケータフィールド（ＣＩＦ）−リンク、前記１つまたは複数のアップリンクキャリアと前記ダウンリンクキャリアとの間のパスロスーリンク、もしくは前記１つまたは複数のアップリンクキャリアと前記ダウンリンクキャリアとの間のアップリンクタイミング基準−リンクのうちの少なくとも１つを判断する、Ｃ３３に記載の装置。
［Ｃ３６］
前記アップリンクキャリア関連コンポーネントは、前記１つまたは複数のアップリンクキャリアが別のダウンリンクキャリアにＣＩＦ−リンクされていないこと、及び前記ＣＩＦ−リンクを判断する、Ｃ３５に記載の装置。
［Ｃ３７］
前記アップリンクキャリアデアクティベーティングコンポーネントは、少なくとも部分的に前記１つまたは複数のアップリンクキャリアを介する基準信号の送信を減少させることによって前記１つまたは複数のアップリンクキャリアをデアクティベートする、Ｃ３３に記載の装置。
［Ｃ３８］
前記アップリンクキャリアデアクティベーティングコンポーネントは、少なくとも部分的に前記１つまたは複数のアップリンクキャリアに関連するスケジューリング情報の処理を減少させることによって前記１つまたは複数のアップリンクキャリアをデアクティベートする、Ｃ３３に記載の装置。
［Ｃ３９］
前記アップリンクキャリアデアクティベーティングコンポーネントは、前記スケジューリング情報が送信されるインターバルの間、受信するのを避けることに少なくとも部分的に基づいて、少なくとも部分的に前記１つまたは複数のアップリンクキャリアに関連するスケジューリング情報を受信する試みを減少させることによって前記スケジューリング情報を処理することを減少させる、Ｃ３８に記載の装置。
［Ｃ４０］
前記アップリンクキャリアデアクティベーティングコンポーネントはさらに、前記スケジューリング情報におけるキャリアの構成、もしくは前記システム情報における前記１つまたは複数のアップリンクキャリアとアクティブダウンリンクキャリアとの間の関連に少なくとも部分的に基づいて前記インターバルを判断する、Ｃ３９に記載の装置。
【国際調査報告】
2013539280.tif 000014
2013539280.tif 000015
2013539280.tif 000016